(57)【要約】【課題】  保持体５０５が自重によって撓むと、基板５０２やレンズアレイ５０６と感光ドラム１０３との距離が前後方向の位置によって変化し、感光ドラム１０３に露光される静電潜像のボケを引き起こす可能性がある。【解決手段】  樹脂製の保持体５０５は、感光ドラム１０３の回転軸線方向におけるレンズアレイ５０６両端と基板５０２の両端との双方よりも外側であって、当接ピン５１４（及び５１５）よりも内側においてリンク部材６５１およびリンク部材６５２によって支持されている。当接ピン５１４（及び５１５）がドラムユニット５１８に当接した状態の保持体５０５において、リンク部材６５１とリンク部材６５２との間の部分には、重力方向とは反対方向の力が付与される。したがって、保持体５０５の撓みが抑制される。【選択図】  図２３
2019001103.tif 000002
【特許請求の範囲】
【請求項１】
回転可能に支持された感光ドラムを有する交換ユニットを装置本体の側面から抜き差しすることで着脱可能な画像形成装置において、
前記感光ドラムの回転軸線よりも鉛直方向下側に設けられ前記感光ドラムを露光するために前記感光ドラムの下側から前記感光ドラムに光を出射する発光素子と、前記光を前記感光ドラム表面に集光させるレンズと、前記発光素子が実装された基板の取付部と前記レンズの取付部とが一体的に成形され、前記発光素子と前記レンズとを保持する樹脂製の保持体と、を備える光プリントヘッドと、
前記発光素子に前記感光ドラムを露光させる露光位置と前記交換ユニットを着脱するために前記露光位置よりも前記交換ユニットから退避した退避位置とに前記光プリントヘッドを往復移動させる移動機構であって、前記回転軸線方向における前記レンズの一端と前記回転軸線方向における前記基板の一端との双方よりも前記回転軸線方向における前記保持体の一端側において、前記保持体を前記感光ドラムが配置されている側とは反対側から支持し、前記光プリントヘッドを前記往復移動させる第１移動部材と、前記回転軸線方向における前記レンズの他端と前記回転軸線方向における前記基板の他端との双方よりも前記回転軸線方向における前記保持体の他端側において、前記保持体を前記感光ドラムが配置されている側とは反対側から支持し、前記光プリントヘッドを前記往復移動させる第２移動部材と、を備える移動機構と、
前記交換ユニットに当接して前記感光ドラムとの間に間隙を形成し、前記光プリントヘッドを前記露光位置とするために、前記第１移動部材よりも前記回転軸線方向における一端側において前記保持体の前記交換ユニット側に突き出た第１当接部と前記第２移動部材よりも前記回転軸線方向における他端側において前記保持体の前記交換ユニット側に突き出た第２当接部と、を備え、
前記第１当接部と前記第２当接部とが前記交換ユニットに当接した状態の前記樹脂製の保持体において、前記第１移動部材と前記第２移動部材との間の部分には、重力方向とは反対方向に向かう力が付与されることを特徴とする画像形成装置。
【請求項２】
前記移動機構は前記保持体に対して、前記交換ユニットが配置されている側とは反対側に配置されていることを特徴とする請求項１に記載の画像形成装置。
【請求項３】
前記移動機構は、前記回転軸線方向にスライド移動するスライド部を備え、
前記第１移動部材は、前記回転軸線方向における前記保持体の一端側に回動可能に取り付けられ、前記回転軸線方向における前記スライド部の一端側に回動可能に取り付けられ、
前記第２移動部材は、前記回転軸線方向における前記保持体の他端側に回動可能に取り付けられ、前記回転軸線方向における前記スライド部の他端側に回動可能に取り付けられており、
前記スライド部のスライド移動に連動して前記第１移動部材及び前記第２移動部材は前記スライド部に対して回動し、前記保持体を前記往復移動方向に移動させることを特徴とする請求項１または請求項２に記載の画像形成装置。
【請求項４】
回転可能に支持された感光ドラムを有する交換ユニットを装置本体の側面から抜き差しすることで着脱可能な画像形成装置において、
前記感光ドラムの回転軸線よりも鉛直方向下側に設けられ前記感光ドラムを露光するために前記感光ドラムの下側から前記感光ドラムに光を出射する発光素子と、前記光を前記感光ドラム表面に集光させるレンズと、前記発光素子を備える基板の取付部と前記レンズの取付部とが一体的に成形され、前記発光素子と前記レンズとを保持する樹脂製の保持体と、を備え、前記発光素子に前記感光ドラムを露光させる露光位置と前記交換ユニットを着脱するために前記露光位置よりも前記交換ユニットから退避した退避位置とを往復移動する光プリントヘッドと、
前記回転軸線方向にスライド移動するスライド部と、
前記交換ユニットに付勢する付勢力を前記保持体に付与するために変形し、前記回転軸線方向における前記レンズの一端と前記回転軸線方向における前記基板の一端との双方よりも前記回転軸線方向における前記保持体の一端側において前記保持体に接触する第１バネと、
前記交換ユニットに付勢する付勢力を前記保持体に付与するために変形し、前記回転軸線方向における前記レンズの他端と前記回転軸線方向における前記基板の他端との双方よりも前記回転軸線方向における前記保持体の他端側において前記保持体に接触する第２バネと、
一端側は前記スライド部に回動可能に接続され、他端側は前記保持体に接続され前記第１バネに接触して前記第１バネを変形させる第１移動部が形成されている第１リンク部と、
一端側は前記スライド部に回動可能に接続され、他端側は前記保持体に接続され前記第２バネに接触して前記第２バネを変形させる第２移動部が形成されている第２リンク部と、
前記交換ユニットに当接して前記感光ドラムとの間に間隙を形成し、前記光プリントヘッドを前記露光位置とするために、前記第１移動部よりも前記回転軸線方向における一端側において前記保持体の前記交換ユニット側に突き出た第１当接部と、前記第２移動部よりも前記回転軸線方向における他端側において前記保持体の前記交換ユニット側に突き出た第２当接部と、を備え、
前記第１当接部と前記第２当接部とが前記交換ユニットに当接した状態で、前記スライド部のスライド移動に連動して前記第１移動部および前記第２移動部がそれぞれ前記交換ユニットに向かって移動し、前記第１バネおよび前記第２バネを変形させることによって、前記樹脂製の保持体の前記第１バネと前記第２バネとの間の部分には、重力方向とは反対方向に向かう力が付与されることを特徴とする画像形成装置。
【請求項５】
前記第１バネが前記保持体に接触する部分には、前記第１バネの一端側及び他端側のそれぞれが取り付けられる２つのバネ取付部が、取り付けられる前記第１バネを介して前記回転軸線方向に対向する位置に形成されており、前記第１リンク部は、前記第１移動部が前記２つのバネ取付部に取り付けられた前記第１バネに対して前記感光ドラムが配置されている側とは反対側から当接するように配置され、
前記第２バネが前記保持体に接触する部分には、前記第２バネの一端側及び他端側のそれぞれが取り付けられる２つのバネ取付部が、取り付けられる前記第２バネを介して前記回転軸線方向に対向する位置に形成されており、前記第２リンク部は、前記第２移動部が前記２つのバネ取付部に取り付けられた前記第２バネに対して前記感光ドラムが配置されている側とは反対側から当接するように配置されており、
前記スライド部のスライド移動に連動して前記第１移動部および前記第２移動部がそれぞれ前記交換ユニットに向かって移動すると前記第１バネおよび前記第２バネを伸ばす方向に変形させることを特徴とする請求項４に記載の画像形成装置。
【請求項６】
前記第１バネの一端側は前記第１バネの他端側よりも前記感光ドラムに近い位置で前記バネ取付部に取り付けられており、前記第２バネの一端側は前記第２バネの他端側よりも前記感光ドラムに近い位置で前記バネ取付部に取り付けられており、
前記スライド部のスライド移動に連動して前記第１移動部および前記第２移動部がそれぞれ前記交換ユニットに向かって移動して前記第１バネおよび前記第２バネを伸ばす方向に変形させることによって、前記保持体は前記第１バネおよび前記第２バネの一端側から他端側に向かう方向に付勢されることを特徴とする請求項５に記載の画像形成装置。
【請求項７】
前記第１バネの一端側は前記保持体に接続され、かつ、前記第１バネの他端側は前記第１バネの一端側と前記保持体とが接続された部分よりも前記感光ドラムに近い位置において前記第１移動部と接続されており、
前記第２バネの一端側は前記保持体に接続され、かつ、前記第２バネの他端側は前記第２バネの一端側と前記保持体とが接続された部分よりも前記感光ドラムに近い位置において前記第２移動部と接続されており、
前記スライド部のスライド移動に連動して前記第１移動部および前記第２移動部がそれぞれ前記交換ユニットに向かって移動すると前記第１バネおよび前記第２バネを伸ばす方向に変形させることを特徴とする請求項４に記載の画像形成装置。
【請求項８】
前記第１バネの一端側は前記第１移動部と接触し、かつ、前記第１バネの他端側は前記第１バネの一端側と前記第１移動部とが接触する部分よりも前記感光ドラムに近い位置において前記保持体と接触しており、
前記第２バネの一端側は前記第２移動部と接触し、かつ、前記第２バネの他端側は前記第２バネの一端側と前記第２移動部とが接触する部分よりも前記感光ドラムに近い位置において前記保持体と接触しており、
前記スライド部のスライド移動に連動して前記第１移動部および前記第２移動部がそれぞれ前記交換ユニットに向かって移動すると前記第１バネおよび前記第２バネを縮める方向に変形させることを特徴とする請求項４に記載の画像形成装置。
【請求項９】
前記第１移動部は、前記第１リンク部の他端側に形成された前記第１リンク部の回動軸線方向に突出する突起であって前記第１バネと接触し、
前記第２移動部は、前記第２リンク部の他端側に形成された前記第２リンク部の回動軸線方向に突出する突起であって前記第２バネと接触することを特徴とする請求項４から請求項８のいずれか１項に記載の画像形成装置。
【請求項１０】
前記回転軸線方向における前記交換ユニットの一端側であって、前記保持体側には、前記第１当接部の前記交換ユニット側の端部が当接する窪みが形成され、
前記回転軸線方向における前記交換ユニットの他端側であって、前記保持体側には、前記第２当接部の前記交換ユニット側の端部が当接する窪みが形成されていることを特徴とする請求項１から請求項９のいずれか１項に記載の画像形成装置。
【発明の詳細な説明】
【技術分野】
【０００１】
本発明は、感光ドラムを露光する露光位置と感光ドラムを備える交換ユニットを交換するために露光位置よりも感光ドラムから退避させた退避位置とを往復移動する光プリントヘッドを備える画像形成装置に関する。
【背景技術】
【０００２】
プリンタや複写機等の画像形成装置は、感光ドラムを露光するための複数の発光素子を備える光プリントヘッドを有する。光プリントヘッドには、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば１列や千鳥状の２列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。複数の発光素子から出射された光は、レンズを介し感光ドラム表面に集光し、感光ドラム上に静電潜像が形成される。
【０００３】
感光ドラムは消耗品であるため定期的に交換される。感光ドラム等の交換作業を行う作業者は、感光ドラムを有する交換ユニットを交換することで、画像形成装置のメンテナンスを行うことができる。交換ユニットは、画像形成装置本体の側面から装置本体に対するスライド移動により抜き差しされることで画像形成装置本体に対して着脱可能な構成となっている。感光ドラムを露光する際の光プリントヘッドの位置である露光位置（ドラム表面に接近して対向する位置）において、レンズと感光ドラム表面との間隔は非常に狭い。よって、交換ユニットの交換時には光プリントヘッドを露光位置から退避させないと光プリントヘッドと感光ドラム等が接触し、感光ドラム表面およびレンズが傷ついてしまう可能性がある。そこで画像形成装置は、露光位置と、交換ユニットを着脱するために露光位置よりも交換ユニットから退避した退避位置との間を往復移動可能な構成が取られる。光プリントヘッドが露光位置と離間位置との間を移動する構成として、例えば次のような例がある。
【０００４】
特許文献１に開示された光プリントヘッドを用いた画像形成装置は、ＬＥＤプリントヘッド１４と、ＬＥＤプリントヘッド１４を露光位置と退避位置とで往復移動させる進退機構１７と、を備える。
【０００５】
ＬＥＤプリントヘッド１４は、ＬＥＤアレイ６３及びＬＥＤアレイ６３を駆動する信号発生回路等を搭載するＬＥＤ回路基板６２と、ＬＥＤ回路基板６２を保持するハウジング６１と、ＬＥＤアレイ６３からの光を感光体ドラム１２表面に結像させるロッドレンズアレイ６４と、を備える。また、ハウジング６１は、フロント側に第１フロント位置決めピン６１１Ｆ、リア側に第１リア位置決めピン６１１Ｒを備え、これらのピンはＺ方向両側から突き出している。ハウジング６１の交換ユニットが配置されている側とは反対側に突き出たピンの端部を支持部１７３ｂが支持している。
【０００６】
進退機構１７は、レバー１７２と、リンク機構１７３と、支持部１７３ｂと、を備える。レバー１７２が矢印Ｃ方向（図７参照）に倒されることで、リンク機構１７３を介し、支持部１７３ｂが感光体ドラム１２へ接近する方向に移動する。すなわち、レバー１７２が矢印Ｃ方向に倒されると、支持部１７３ｂが、ハウジング６１が備えるピンを押し上げ、ＬＥＤプリントヘッド１４が退避位置から露光位置に向けて移動する。そして、これらのピンが、感光体モジュールＰＭの所定の位置（フロントボールベアリング１２２Ｆおよび１２２Ｒ）に当接することで、感光体ドラム１２とＬＥＤプリントヘッド１４との間に間隙を形成し、ＬＥＤプリントヘッド１４が露光位置に配置される。
【先行技術文献】
【特許文献】
【０００７】
【特許文献１】特開２０１４−２１３５４１号公報
【発明の概要】
【発明が解決しようとする課題】
【０００８】
しかしながら、上記特許文献１に示された、ハウジング６１（保持体）を支持部１７３ｂによって押し上げられる二箇所のピン（第１フロント位置決めピン６１１Ｆと第１リア位置決めピン６１１Ｒ）によって支持される機構には、以下に記載する課題が生じ得る。
【０００９】
上記機構では、二箇所のピンの間において、ハウジング６１が感光ドラムの回転軸線方向に関して自重によって撓む可能性が無視できない。当該撓みによるハウジング６１の撓み量は、ハウジング６１の材質に左右され、例えば金属製に比べ、樹脂製の方が大きくなる。ハウジング６１に撓みが生じた場合、ＬＥＤアレイ６３の、Ｘ方向中央部から感光ドラムまでの距離とＸ方向端部から感光ドラムまでの距離との差は、撓みが無い場合と比べて大きくなる。また、ハウジング６１に撓みが生じた場合、ロッドレンズアレイ６４の、Ｘ方向中央部から感光ドラムまでの距離とＸ方向端部から感光ドラムまでの距離との差も、撓みが無い場合と比べて大となる。二箇所のピンの間において更にハウジング６１を支持する機構を設けることも考え得るが、ハウジング６１のフレームのうちＬＥＤアレイ６３やロッドレンズアレイ６４を保持している部分に力が付与されると、ＬＥＤアレイ６３やロッドレンズアレイ６４に歪みが生じる可能性がある。
【００１０】
ＬＥＤプリントヘッド１４が備えるＬＥＤアレイ６３やロッドレンズアレイ６４と感光ドラムとの距離が感光ドラムの回転軸線方向における位置によって変化することは、感光ドラムに露光される静電潜像のボケを引き起こす原因の一つとなる。
【課題を解決するための手段】
【００１１】
上記課題に対して、本願発明の発光装置は、回転可能に支持された感光ドラムを有する交換ユニットを装置本体の側面から抜き差しすることで着脱可能な画像形成装置において、前記感光ドラムの回転軸線よりも鉛直方向下側に設けられ前記感光ドラムを露光するために前記感光ドラムの下側から前記感光ドラムに光を出射する発光素子と、前記光を前記感光ドラム表面に集光させるレンズと、前記発光素子が実装された基板の取付部と前記レンズの取付部とが一体的に成形され、前記発光素子と前記レンズとを保持する樹脂製の保持体と、を備える光プリントヘッドと、前記発光素子に前記感光ドラムを露光させる露光位置と前記交換ユニットを着脱するために前記露光位置よりも前記交換ユニットから退避した退避位置とに前記光プリントヘッドを往復移動させる移動機構であって、前記回転軸線方向における前記レンズの一端と前記回転軸線方向における前記基板の一端との双方よりも前記回転軸線方向における前記保持体の一端側において、前記保持体を前記感光ドラムが配置されている側とは反対側から支持し、前記光プリントヘッドを前記往復移動させる第１移動部材と、前記回転軸線方向における前記レンズの他端と前記回転軸線方向における前記基板の他端との双方よりも前記回転軸線方向における前記保持体の他端側において、前記保持体を前記感光ドラムが配置されている側とは反対側から支持し、前記光プリントヘッドを前記往復移動させる第２移動部材と、を備える移動機構と、前記交換ユニットに当接して前記感光ドラムとの間に間隙を形成し、前記光プリントヘッドを前記露光位置とするために、前記第１移動部材よりも前記回転軸線方向における一端側において前記保持体の前記交換ユニット側に突き出た第１当接部と前記第２移動部材よりも前記回転軸線方向における他端側において前記保持体の前記交換ユニット側に突き出た第２当接部と、を備え、前記第１当接部と前記第２当接部とが前記交換ユニットに当接した状態の前記樹脂製の保持体において、前記第１移動部材と前記第２移動部材との間の部分には、重力方向とは反対方向に向かう力が付与されることを特徴とする。
【００１２】
また、上記課題に対して、本願発明の発光装置は、回転可能に支持された感光ドラムを有する交換ユニットを装置本体の側面から抜き差しすることで着脱可能な画像形成装置において、前記感光ドラムの回転軸線よりも鉛直方向下側に設けられ前記感光ドラムを露光するために前記感光ドラムの下側から前記感光ドラムに光を出射する発光素子と、前記光を前記感光ドラム表面に集光させるレンズと、前記発光素子を備える基板の取付部と前記レンズの取付部とが一体的に成形され、前記発光素子と前記レンズとを保持する樹脂製の保持体と、を備え、前記発光素子に前記感光ドラムを露光させる露光位置と前記交換ユニットを着脱するために前記露光位置よりも前記交換ユニットから退避した退避位置とを往復移動する光プリントヘッドと、前記回転軸線方向にスライド移動するスライド部と、前記交換ユニットに付勢する付勢力を前記保持体に付与するために変形し、前記回転軸線方向における前記レンズの一端と前記回転軸線方向における前記基板の一端との双方よりも前記回転軸線方向における前記保持体の一端側において前記保持体に接触する第１バネと、前記交換ユニットに付勢する付勢力を前記保持体に付与するために変形し、前記回転軸線方向における前記レンズの他端と前記回転軸線方向における前記基板の他端との双方よりも前記回転軸線方向における前記保持体の他端側において前記保持体に接触する第２バネと、一端側は前記スライド部に回動可能に接続され、他端側は前記保持体に接続され前記第１バネに接触して前記第１バネを変形させる第１移動部が形成されている第１リンク部と、一端側は前記スライド部に回動可能に接続され、他端側は前記保持体に接続され前記第２バネに接触して前記第２バネを変形させる第２移動部が形成されている第２リンク部と、前記交換ユニットに当接して前記感光ドラムとの間に間隙を形成し、前記光プリントヘッドを前記露光位置とするために、前記第１移動部よりも前記回転軸線方向における一端側において前記保持体の前記交換ユニット側に突き出た第１当接部と、前記第２移動部よりも前記回転軸線方向における他端側において前記保持体の前記交換ユニット側に突き出た第２当接部と、を備え、前記第１当接部と前記第２当接部とが前記交換ユニットに当接した状態で、前記スライド部のスライド移動に連動して前記第１移動部および前記第２移動部がそれぞれ前記交換ユニットに向かって移動し、前記第１バネおよび前記第２バネを変形させることによって、前記樹脂製の保持体の前記第１バネと前記第２バネとの間の部分には、重力方向とは反対方向に向かう力が付与されることを特徴とする。
【発明の効果】
【００１３】
本発明の画像形成装置は、保持体を支持する第１移動部材および第２移動部材が、感光ドラムの回転軸線方向においてレンズおよび基板よりは外側で、かつ、当接ピンよりは内側で、保持体を支持する。これにより、当接ピンが交換ユニットに当接している時、保持体におけるレンズおよび基板が取り付けられた領域は、第１移動部材および第２移動部材によって押圧されることなく、また、保持体における第１移動部材と第２移動部材との間には重力方向と逆方向の力が付与される。したがって、保持体が撓むことを抑制できる。
【図面の簡単な説明】
【００１４】
【図１】画像形成装置の概略断面図。
【図２】画像形成装置におけるドラムユニット周囲の斜視図。
【図３】露光ユニットの概略斜視図。
【図４】光プリントヘッドの、感光ドラムの回転軸線に垂直な方向の断面図。
【図５】光プリントヘッドの基板、ＬＥＤチップ、およびレンズアレイを説明するための概略図。
【図６】光プリントヘッドの側面図。
【図７】光プリントヘッドがドラムユニットに当接した状態と退避した状態を示す図。
【図８】ドラムユニットの後側に取り付けられるブッシュの斜視図。
【図９】第１支持部、および第３支持部の斜視図。
【図１０】第２支持部、後側板、および第２支持部に取り付けられる露光ユニットの斜視図。
【図１１】第１支持部を不図示とした移動機構の斜視図。
【図１２】λ型の第１リンク機構の側面図。
【図１３】第１支持部を不図示とした移動機構の斜視図。
【図１４】移動機構を説明する図。
【図１５】Ｘ型の移動機構を説明する図。
【図１６】カバーの斜視図。
【図１７】カバーが閉じられる際の動作を説明するためのカバーの斜視図。
【図１８】カバーが閉じられる際の動作を説明するためのカバーの側面図。
【図１９】カバーが開けられる際の動作を説明するためのカバーの斜視図。
【図２０】カバーが開けられる際の動作を説明するためのカバーの側面図。
【図２１】保持体の両端の構造を説明するための斜視図。
【図２２】保持体の他端の構造を説明するための側面図。
【図２３】露光位置に位置する保持体に作用する力を説明する図。
【図２４】変形例１に係る移動機構を説明するための図。
【図２５】変形例２に係る移動機構を説明するための図。
【発明を実施するための形態】
【００１５】
（実施例）
（画像形成装置）
まず、画像形成装置１の概略構成を説明する。図１は画像形成装置１の概略断面図である。図１に示す画像形成装置１は読取装置を備えていないカラープリンタ（ＳＦＰ：Ｓｍａｌｌ  Ｆｕｎｃｔｉｏｎ  Ｐｒｉｎｔｅｒ）であるが、実施の形態は読取装置を備える複写機であってもよい。また、実施の形態は、図１に示すような複数の感光ドラム１０３を備えるカラー画像形成装置に限られず、１つの感光ドラム１０３を備えるカラー画像形成装置やモノクロ画像を形成する画像形成装置でも良い。
【００１６】
図１に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像器１０６Ｙ、１０６Ｍ、１０６Ｃ、１０６Ｋ（以下、総称して単に「現像器１０６」とも称する）を備える。符号に付されたＹ、Ｍ、Ｃ、Ｋはトナーの色を示している。
【００１７】
画像形成装置１は、感光ドラム１０３に形成されたトナー像が転写される中間転写ベルト１０７、各画像形成部１０２の感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐに転写させる二次転写ローラ１０９、二次転写された画像を記録紙Ｐに定着させる定着器１００を備える。
【００１８】
（ドラムユニット）
続いて、本実施例に係る画像形成装置１に着脱可能な交換ユニットの一例であるドラムユニット５１８（Ｙ、Ｍ、Ｃ、Ｋ）および現像ユニット６４１（Ｙ、Ｍ、Ｃ、Ｋ）について説明する。図２（ａ）は、画像形成装置１が備えるドラムユニット５１８及び現像ユニット６４１周囲の概略斜視図である。また、図２（ｂ）は画像形成装置１に対して装置本体の外側から挿入途中の状態のドラムユニット５１８を示す図である。
【００１９】
図２（ａ）に示すように、画像形成装置１は、板金で形成される前側板６４２と後側板６４３を備える。前側板６４２は画像形成装置１の正面側に設けられた側壁である。一方、後側板６４３は画像形成装置１の背面側に設けられた側壁である。図２（ａ）に示すように、前側板６４２と後側板６４３は対面して配置され、それらの間には梁としての不図示の板金が橋架されている。前側板６４２、後側板６４３、および不図示の梁はそれぞれ、画像形成装置１の枠体の一部を構成する。
【００２０】
画像形成装置１の正面側からドラムユニット５１８、および現像ユニット６４１を挿抜できるように、前側板６４２には開口が形成されている。ドラムユニット５１８、および現像ユニット６４１は、開口を通して画像形成装置１本体の所定の位置（装着位置）に装着される。また、画像形成装置１は、装着位置に装着されたドラムユニット５１８と現像ユニット６４１の正面側を覆う回動部材の一例としてのカバー５５８（Ｙ、Ｍ、Ｃ、Ｋ）を備える。カバー５５８は、一端がヒンジによって画像形成装置１本体に固定されており、ヒンジによって画像形成装置１本体に対して回動可能となっている。メンテナンスを行う作業者がカバー５５８を開いて本体内のドラムユニット５１８あるいは現像ユニット６４１を取り出し、新しいドラムユニット５１８あるいは現像ユニット６４１を挿入してカバー５５８を閉じることによってユニットの交換作業が完了する。カバー５５８についての詳しい説明は後述する。
【００２１】
図２（ａ）および図２（ｂ）に示すように、以下の説明では前側板６４２側を前側、後側板６４３側を後側と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。また、イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向及び左右方向に垂直な方向であって鉛直方向上向きを上方向、また、ここで定義した前後方向及び左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向における一端側はここで定義する前側を意味し、他端側はここで定義する後側を意味する。前後方向における一端側および他端側に関してもここで定義する前側および後側に対応する。左右方向における一端側はここで定義する右側を意味し、他端側はここで定義する左側を意味する。
【００２２】
本実施例の画像形成装置１にはドラムユニット５１８が取り付けられる。ドラムユニット５１８は、交換されるカートリッジである。本実施例のドラムユニット５１８はドラムユニット５１８の筐体に対して回転可能に支持された感光ドラム１０３を備える。ドラムユニット５１８は、感光ドラム１０３、帯電器１０４、及び不図示のクリーニング装置を備えている。感光ドラム１０３が、例えばクリーニング装置によるクリーニングによって摩耗するなどして寿命を迎えた際に、図２（ｂ）に示すようにメンテナンスを行う作業者がドラムユニット５１８を装置本体から取り出して感光ドラム１０３を交換する。ドラムユニット５１８は、帯電器１０４、及びクリーニング装置を備えておらず、感光ドラム１０３を備えていた構成でも良い。
【００２３】
本実施例の画像形成装置１にはドラムユニット５１８とは別体の現像ユニット６４１が取り付けられている。現像ユニット６４１は図１に示す現像器１０６を含む。現像器１０６は、現像剤を担持する現像剤担持体であるところの現像スリーブを備える。現像ユニット６４１にはトナーとキャリアを攪拌するためのスクリュを回転させるためのギアが複数設けられている。これらのギアが経年劣化等した際には、メンテナンスを行う作業者が現像ユニット６４１を画像形成装置１の装置本体から取り出して交換する。本実施例の現像ユニット６４１は、現像スリーブを備える現像器１０６とスクリュが設けられたトナー収容部とが一体化されたカートリッジである。なお、ドラムユニット５１８および現像ユニット６４１の実施の形態は、上記ドラムユニット５１８と現像ユニット６４１が一体化されたプロセスカートリッジでも良い。
【００２４】
（画像形成プロセス）
次に、画像形成プロセスについて説明する。後述する光プリントヘッド１０５Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写部Ｔｙにおいて一次転写ローラ１０８Ｙによって中間転写ベルト１０７に転写される。マゼンタ、シアン、ブラックのトナー像も同様の画像形成プロセスで中間転写ベルト１０７に転写される。
【００２５】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
【００２６】
（露光ユニット）
光プリントヘッド１０５を含む露光ユニット５００について説明する。図３（ａ）は、本実施例の画像形成装置１が備える露光ユニット５００の概略斜視図である。図３（ｂ）が図３（ａ）に示す露光ユニット５００を下側から見た図である。図４は、図３に示す露光ユニット５００と、及び露光ユニット５００の上側に配置される感光ドラム１０３と、を感光ドラム１０３の回転軸線方向に垂直な面で切断した概略断面図である。露光ユニット５００は、光プリントヘッド１０５と移動機構６４０を含む。光プリントヘッド１０５は、レンズとしてのレンズアレイ５０６、基板５０２、およびレンズアレイ５０６を保持する保持体５０５と、当接ピン５１４（当接部とも称する）と、当接ピン５１５（当接部とも称する）を備える。移動機構６４０は、リンク部材６５１（第１移動部材の一例）と、リンク部材６５２（第２移動部材の一例）と、スライド部５２５と、第１支持部５２７と、第２支持部５２８と、スライド支持部の一例としての第３支持部５２６と、を含む。ここで、本実施例では、当接ピン５１４および当接ピン５１５は円柱状のピンとしているが、その形状は円柱に限らず角柱や端部ほどその径が細くなる円錐のような形状でも構わない。また、当接ピン５１４若しくは当接ピン５１５の一方は、ピンである必要はなく、それと同様の機能を具備するものとして、例えば保持体５０５の上側と下側とに突き出た突起であっても構わない。
【００２７】
まず、保持体５０５について説明する。保持体５０５は、後述する基板５０２、レンズアレイ５０６、当接ピン５１４、および当接ピン５１５を保持するホルダーである。本実施形態では一例として、保持体５０５の上面から突き出す当接ピン５１４の長さは７ｍｍ、保持体５０５の上面から突き出す当接ピン５１５の長さは１１ｍｍ、保持体５０５の下面から突き出す当接ピン５１４の長さは２２ｍｍ、保持体５０５の下面から突き出す当接ピン５１５の長さは２２ｍｍとしている。図４に示すように、保持体５０５は、レンズアレイ５０６が取り付けられるレンズ取付部７０１と、基板５０２が取り付けられる基板取付部７０２と、を備える。また、保持体５０５は、後述する図２１において説明するように、バネ取付部６６１、バネ取付部６６２、ピン取付部６３２、およびピン取付部６３３を備える。本実施例の保持体５０５は、レンズ取付部７０１、基板取付部７０２、バネ取付部６６１、バネ取付部６６２、ピン取付部６３２、およびピン取付部６３３を備える。保持体５０５は、レンズ取付部７０１と基板取付部７０２とバネ取付部６６１とバネ取付部６６２とが一体的に射出成形された樹脂製の成形物である。
【００２８】
図３（ｂ）に示すように、リンク部材６５１が取り付けられるバネ取付部６６１は、レンズアレイ５０６の前側の端部と基板５０２の前側の端部との双方よりも前側であってピン取付部６３２よりも後側に設けられている。また、リンク部材６５２が取り付けられるバネ取付部６６２は、レンズアレイ５０６の後側の端部と基板５０２の後側の端部との双方よりも後側であってピン取付部６３３よりも前側に設けられている。すなわち保持体５０５は、光プリントヘッド１０５が露光位置と退避位置とを移動するにあたり、前後方向におけるレンズアレイ５０６と当接ピン５１４との間でリンク部材６５１によって支持され、前後方向におけるレンズアレイ５０６と当接ピン５１５との間でリンク部材６５２によって支持される。リンク部材６５１とリンク部材６５２によって保持体５０５に対して付勢力が付与される部分が、レンズアレイ５０６と上下方向で重ならないため、当該付勢力によるレンズアレイ５０６の撓みが低減される。
【００２９】
レンズ取付部７０１は、保持体５０５の長手方向に延びる第１内壁面５０７と、第１内壁面５０７に対面し、同じく保持体５０５の長手方向に延びる第２内壁面５０８と、を備える。光プリントヘッド１０５の組み立て時に第１内壁面５０７と第２内壁面５０８との間にレンズアレイ５０６が挿入される。そして、レンズアレイ５０６の側面とレンズ取付部７０１との間に接着剤が塗布されることによって、レンズアレイ５０６は保持体５０５に固定される。
【００３０】
図４に示すように、基板取付部７０２は、断面が略コの字状の形状となっており、保持体５０５の長手方向に延びる第３内壁面９００と、第３内壁面９００に対面し、保持体５０５の長手方向に延びる第４内壁面９０１と、を備える。第３内壁面９００および第４内壁面９０１との間には基板５０２を挿入するための間隙９１０が形成される。また、基板取付部７０２は、基板５０２が当接する基板当接部９１１を備える。光プリントヘッド１０５の組み立て時に基板５０２は間隙９１０から挿入され、基板当接部９１１まで押し込まれる。そして、基板５０２が基板当接部９１１に当接した状態で間隙９１０側の基板５０２と第３内壁面９００と第４内壁面９０１との境界部に接着剤が塗布されることによって、基板５０２は保持体５０５に固定されている。当該露光ユニット５００は感光ドラム１０３の回転軸線よりも鉛直方向下側に設けられており、光プリントヘッド１０５が有するＬＥＤ５０３が感光ドラム１０３を下方から露光する。
【００３１】
次に、保持体５０５に保持される基板５０２について説明する。図５（ａ）は基板５０２の概略斜視図である。図５（ｂ１）は基板５０２に設けられた複数のＬＥＤ５０３の配列を示し、図５（ｂ２）は図５（ｂ１）の拡大図を示している。
【００３２】
基板５０２にはＬＥＤチップ６３９が実装されている。図５（ａ）に示すように、基板５０２の一方の面にはＬＥＤチップ６３９が設けられ、裏面側にコネクタ５０４が設けられている。基板５０２には各ＬＥＤチップ６３９に信号を供給するための配線が設けられている。コネクタ５０４には、不図示のフレクシブルフラットケーブル（ＦＦＣ）の一端が接続される。画像形成装置１本体には基板が設けられている。基板は制御部とコネクタとを備える。ＦＦＣの他端は、当該コネクタに接続されている。基板５０２には、画像形成装置１本体の制御部からＦＦＣおよびコネクタ５０４を介して制御信号が入力される。ＬＥＤチップ６３９は、基板５０２に入力された制御信号によって駆動される。
【００３３】
基板５０２に実装されたＬＥＤチップ６３９についてさらに詳しく説明する。図５（ｂ１）および（ｂ２）に示すように、基板５０２の一方の面には複数のＬＥＤ５０３が配置された複数のＬＥＤチップ６３９−１〜６３９−２９（２９個）が配列されている。各ＬＥＤチップ６３９−１〜６３９−２９はそれぞれ、その長手方向に５１６個のＬＥＤ（発光素子）が一列に配列されている。ＬＥＤチップ６３９の長手方向において隣り合うＬＥＤの中心間距離ｋ２は画像形成装置１の解像度に対応している。本実施例の画像形成装置１の解像度は１２００ｄｐｉであるので、ＬＥＤチップ６３９−１〜６３９−２９ＬＥＤチップ６３９の長手方向において、ＬＥＤは隣接するＬＥＤの中心間距離が２１．１６μｍとなるように一列に配列されている。そのため、本実施例の光プリントヘッド１０５の露光範囲は約３１６ｍｍとなる。感光ドラム１０３の感光層は３１６ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。
【００３４】
ＬＥＤチップ６３９−１から６３９−２９は、感光ドラム１０３の回転軸線方向に沿って二列となるよう交互に配置されている。すなわち、図５（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図５（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤの中心間距離ｋ２と等しくすることができる。
【００３５】
なお、本実施例では露光光源にＬＥＤを用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても良い。
【００３６】
次に、レンズアレイ５０６について説明する。図５（ｃ１）はレンズアレイ５０６を感光ドラム１０３側から見た時の概略図である。また、図５（ｃ２）はレンズアレイ５０６の概略斜視図である。図５（ｃ１）に示すように、これら複数のレンズは複数のＬＥＤ５０３の配列方向に沿って二列に並べられている。各レンズは、一方の列のレンズの配列方向において隣り合うレンズの両方に接するように他方の列のレンズの一つが配置されるよう交互に配置されている。各レンズは、円柱状の硝子製のロッドレンズである。なお、レンズの材質は硝子製に限らず、プラスチック製でも構わない。レンズの形状についても円柱状に限らず、例えば六角柱等の多角柱でも構わない。
【００３７】
図５（ｃ２）に示す点線Ｚはレンズの光軸を示す。光プリントヘッド１０５は前述の移動機構６４０によって当該点線Ｚで示すレンズの光軸に概ね沿った方向に移動させられる。ここで言うレンズの光軸とは、レンズの光出射面の中心と当該レンズの焦点とを結ぶ線を意味する。図４に示すように、ＬＥＤから出射された放射光はレンズアレイ５０６に含まれるレンズに入射する。レンズは入射した放射光を感光ドラム１０３の表面上に集光させる機能を有する。レンズアレイ５０６は、ＬＥＤの発光面とレンズの光入射面との距離と、レンズの光出射面と感光ドラム１０３の表面との距離と、が略等しくなるように光プリントヘッド１０５の組み立て時のレンズ取付部７０１に対する取付位置が調整される。
【００３８】
ここで、光プリントヘッド１０５を移動させる必要性について説明する。本実施例の画像形成装置１は、図２で説明したようにドラムユニット５１８を交換する際に感光ドラム１０３の回転軸線方向であって装置本体の前側にドラムユニット５１８をスライド移動させる。光プリントヘッド１０５が感光ドラム１０３表面近傍に位置した状態でドラムユニット５１８を移動させるとスライド移動する感光ドラム１０３表面に接触してしまい、装着する感光ドラム１０３の表面に傷がついてしまう。また、ドラムユニット５１８の枠体にレンズアレイ５０６が接触してレンズアレイ５０６に傷がついてしまう。そのため、感光ドラム１０３を露光する露光位置（図６（ａ））と露光位置から退避した退避位置（図６（ｂ））との間で、光プリントヘッド１０５が往復移動する構造が必要である。光プリントヘッド１０５が露光位置（図６（ａ））の状態でスライド部５２５が矢印Ａ方向にスライド移動すると光プリントヘッド１０５は退避位置（図６（ｂ））へと向かう方向に移動する。一方、光プリントヘッド１０５が退避位置（図６（ｂ））の状態でスライド部５２５が矢印Ｂ方向にスライド移動すると光プリントヘッド１０５は露光位置（図６（ａ））へと向かう方向に移動する。詳細は後述する。
【００３９】
図７（ａ１）は露光位置に位置する光プリントヘッド１０５の後側、およびドラムユニット５１８の後側に設けられたブッシュ６７１を示す斜視図である。図７（ａ２）は光プリントヘッド１０５が露光位置に位置する際の第２支持部５２８およびドラムユニット５１８の後側に設けられたブッシュ６７１を示す断面図である。図７（ｂ１）は退避位置に位置する光プリントヘッド１０５の後側、およびドラムユニット５１８の後側に設けられたブッシュ６７１を示す斜視図である。図７（ｂ２）は光プリントヘッド１０５が退避位置に位置する際の第２支持部５２８およびドラムユニット５１８の後側に設けられたブッシュ６７１を示す断面図である。
【００４０】
図７を用いて、光プリントヘッド１０５の後側に設けられた当接ピン５１５がドラムユニット５１８側に設けられたブッシュ６７１に当接する様子を説明する。ドラムユニット５１８の前側にも当接ピンが当接するブッシュ６７１に相当する部品が設けられており、その構造はブッシュ６７１の構造と同様であって、機能についても実質的に同一である。ここでは当接ピン５１５がドラムユニット５１８側に設けられたブッシュ６７１に当接する様子のみ説明する。
【００４１】
図７（ａ１）および図７（ｂ１）より、リンク部材６５２が保持体５０５に取り付けられている部分は、上下方向（光プリントヘッド１０５が露光位置と退避位置とを移動する方向：往復移動方向）における当接ピン５１５の両端のうち交換ユニット側（ドラムユニット５１８が配置されている側）とは反対側の端部より感光ドラム１０３側である。リンク部材６５２が取り付けられるバネ取付部６６２が、当接ピン５１５と上下方向で交差しないように配置されている。また、ここでは図示しないが、リンク部材６５１が保持体５０５に取り付けられている部分も、上下方向（光プリントヘッド１０５が露光位置と退避位置とを移動する方向：往復移動方向）における当接ピン５１４の両端のうち交換ユニット側（ドラムユニット５１８が配置されている側）とは反対側の端部より感光ドラム１０３側である。リンク部材６５１が取り付けられるバネ取付部６６１が、当接ピン５１４と上下方向で交差しないように配置されている。これにより、露光ユニット５００が上下方向で大型化することを抑制している。
【００４２】
図７（ａ２）および図７（ｂ２）に示すように、第２支持部５２８は第２座面５８７、第１案内部の一例である規制部１２８、第１壁面５８８、第２壁面５８９を備える。２つの壁面（第１壁面５８８と第２壁面５８９）は第２案内部の一例である。なお、本実施例では、第１案内部と第２案内部とは一体成形され、第２支持部５２８を構成しているが、第１案内部と第２案内部とは別部材として互いに取り付け可能な構成としても構わない。
【００４３】
第２座面５８７は、保持体５０５の下側に設けられている。露光位置から退避位置に向かって移動する保持体５０５の下側が、第２座面５８７および後述する第１支持部５２７の第１座面５８６に対して、鉛直方向上側から当接することで、光プリントヘッド１０５が退避位置となる。
【００４４】
規制部１２８は、第２支持部５２８に形成された前側に開いたコの字状の凹部であって、保持体５０５に対してドラムユニット５１８が位置する側とは反対側に配置されており、当接ピン５１５が上下方向に移動可能なように当接ピン５１５より後側から嵌っている。保持体５０５の下側から突き出た当接ピン５１５は、規制部１２８に嵌合し左右方向への移動が規制された状態で、規制部１２８よって形成された間隙内を移動しながら保持体５０５と共に上下移動する。当該間隙は、当接ピン５１５よりも後側から、当接ピン５１５の左右方向両側に対向する位置に向けて形成されている。
【００４５】
ここでは図示しないが、第１支持部５２７も第１案内部の一例である規制部１２７を備える。規制部１２７は第１支持部５２７に形成された前側に開いたコの字状の凹部であって、保持体５０５に対してドラムユニット５１８が位置する側とは反対側に配置されており、当接ピン５１４が上下方向に移動可能なように当接ピン５１４より前側から嵌っている。保持体５０５の下側から突き出た当接ピン５１４は、規制部１２７に嵌合し左右方向への移動が規制された状態で、規制部１２７によって形成された間隙内を移動しながら保持体５０５と共に上下移動する。当該間隙は、当接ピン５１４よりも前側から、当接ピン５１４の左右方向両側に対向する位置に向けて形成されている。
【００４６】
本実施例で言うところの、当接ピン５１４（あるいは当接ピン５１５）と規制部１２７（あるいは規制部１２８）とが嵌合した状態とは、規制部１２７（あるいは規制部１２８）が形成する間隙の左右方向幅と当接ピン５１４（あるいは当接ピン５１５）における規制部１２７（あるいは規制部１２８）内を移動する部分の左右方向の幅との差が、１０〜３０μｍ程度の隙間を以て嵌合した状態のことを指す。また、規制部１２８（または規制部１２７）は当接ピン５１５（または当接ピン５１４）との接触で生じる摩擦力を可能な限り低減するため、当接ピン５１４に近付くに従い上下方向の厚さが薄くなっているテーパ形状を成している。これにより、当接ピン５１４（当接ピン５１５）は規制部１２７（規制部１２８）の間隙において滑らかに上下移動することができる。したがって、当接ピン５１５及び当接ピン５１４と一体の保持体５０５は前後方向（感光ドラム１０３の回転軸線方向）と上下方向（光プリントヘッド１０５が露光位置と退避位置とを移動する方向：往復移動方向）との双方に交差する方向への移動が規制される。また、規制部１２７は当接ピン５１４が後側から前側へ移動することを規制しても構わないし、規制部１２８は当接ピン５１５が前側から後側へ移動することを規制しても構わない。
【００４７】
第１壁面５８８と第２壁面５８９とは左右方向で対面する位置に配置されており、間隙を形成している。光プリントヘッド１０５が露光位置と退避位置とを往復移動するにあたり、保持体５０５は第１壁面５８８と第２壁面５８９とによって形成された間隙に遊嵌合した状態で、当該間隙内を上下方向に移動する。その間、保持体５０５は第１壁面５８８と第２壁面５８９とによって前後方向（感光ドラム１０３の回転軸線方向）と上下方向（光プリントヘッド１０５が露光位置と退避位置とを移動する方向：往復移動方向）との双方に交差する方向への移動が規制される。なお、本実施例で言うところの、保持体５０５が、第１壁面５８８と第２壁面５８９とによって形成された間隙に遊嵌合した状態とは、当該間隙の左右方向の幅と保持体５０５の後側の左右方向の幅との差が、０．５〜２ｍｍ程度の隙間を以て嵌合した状態を指す。
【００４８】
以上の構成により、光プリントヘッド１０５は前後方向（感光ドラム１０３の回転軸線方向）と上下方向（光プリントヘッド１０５が露光位置と退避位置とを移動する方向：往復移動方向）との双方に交差する方向への移動が規制された状態で露光位置と退避位置とを移動する。なお、規制部１２７と規制部１２８は、少なくとも一方が第１支持部５２７または第２支持部５２８に設けられていれば構わない。すなわち、規制部１２７が支持部の一例としての第１支持部５２７に設けられているか、規制部１２８が第２支持部５２８に設けられているかすれば十分である。また、第１壁面５８８および第２壁面５８９についても、第２支持部５２８ではなく第１支持部５２７に設けても構わない。
【００４９】
図７（ａ１）および図７（ａ２）に示すように、当接ピン５１５がドラムユニット５１８の後側に設けられたブッシュ６７１に当接し、かつ、当接ピン５１４（不図示）がドラムユニット５１８の前側に設けられたブッシュ６７１に相当する部品に当接した位置が、光プリントヘッド１０５の露光位置である。当接ピン５１４、および当接ピン５１５がドラムユニット５１８側のブッシュ６７１およびブッシュ６７１に相当する部品にそれぞれ当接することによって、レンズアレイ５０６と感光ドラム１０３表面との距離が設計称呼となる。
【００５０】
一方、図７（ｂ１）および図７（ｂ２）に示すように、当接ピン５１５がドラムユニット５１８の後側に設けられたブッシュ６７１から退避した位置が、光プリントヘッド１０５の退避位置に相当する。光プリントヘッド１０５が図７（ｂ１）および図７（ｂ２）に示す退避位置に位置することによって交換のためにスライド移動するドラムユニット５１８と光プリントヘッド１０５が接触しない状態となる。
【００５１】
ここで、ドラムユニット５１８が備えるブッシュ６７１について説明する。図８にブッシュ６７１の斜視図を示す。ブッシュ６７１は、ドラムユニット５１８の筐体にビスあるいは接着剤によって固定された部材である。図８に示すように、ブッシュ６７１には開口９１６が形成されている。開口９１６には感光ドラム１０３の他端側の軸部材が回転可能に挿入されている。すなわち、ブッシュ６７１は感光ドラム１０３を回転可能に軸支する。
【００５２】
感光ドラム１０３は中空の円柱形状のアルミ管の外壁面に感光層が形成されている。アルミ管の両端にはフランジ６７３が圧入されている。ブッシュ６７１に形成された開口９１６には感光ドラム１０３の他端側のフランジ６７３が回転可能に挿入されている。フランジ６７３は、ブッシュ６７１に形成された開口９１６の内壁面に摺擦しながら回転する。すなわち、ブッシュ６７１は感光ドラム１０３を回転可能に軸支する。また、当接ピン５１４が当接する、ドラムユニット５１８の前側に設けられたブッシュ６７１に相当する部品の中央部にもブッシュ６７１と同様に開口が形成されている。ブッシュ６７１に相当する部品に形成された開口には感光ドラム１０３の一端側（前側）のフランジ６７３が回転可能に挿入されている。フランジ６７３は、当該開口の内壁面に摺擦しながら回転する。すなわち、ドラムユニット５１８の前側と同様、後側においてもブッシュ６７１は感光ドラム１０３を回転可能に軸支する。
【００５３】
ブッシュ６７１は、当接ピン５１５が嵌る嵌合部６８５（突当部）を備える。嵌合部６８５は、当接面５５１と、後側壁面５９６と、テーパ部５８５と、を備える。嵌合部６８５はブッシュ６７１に対して窪んでいても構わないし、立設されていても構わない。当接面５５１には、退避位置から露光位置へと向かう方向へ移動する当接ピン５１５が当接する。嵌合部６８５の下端の淵はテーパ形状であるテーパ部５８５が形成されている。テーパ部５８５は、退避位置から露光位置へと向かう方向へ移動する当接ピン５１５が、当接面５５１に当接するようにその移動を案内する。後側壁面５９６と当接ピン５１５との接触については後で説明する。
【００５４】
嵌合部６８５の当接面５５１に当接した当接ピン５１５は、嵌合部６８５によって前後方向（感光ドラム１０３の回転軸線方向）と上下方向（光プリントヘッド１０５が露光位置と退避位置とを移動する方向：往復移動方向）との双方に交差する方向への移動が規制される。すなわち、露光位置に位置する光プリントヘッド１０５（図７（ａ２）参照）において、当接ピン５１５の上端は嵌合部６８５に嵌合していることで前後方向と上下方向との双方に交差する方向への移動が規制され、当接ピン５１５の下端は規制部１２８が形成する間隙に嵌合していることによって前後方向と上下方向との双方に交差する方向への移動が規制される。ここで、嵌合部６８５の左右方向の幅と当接ピン５１５の上端の左右方向の幅との差と規制部１２８が形成する間隙の左右方向の幅と当接ピン５１５の下端の左右方向の幅との差は、第１壁面５８８と第２壁面５８９との左右方向の幅と第１壁面５８８と第２壁面５８９との間に位置する保持体５０５の左右方向の幅との差よりも小である。そのため、光プリントヘッド１０５が露光位置である時、第１壁面５８８と第２壁面５８９は保持体５０５の前後方向と上下方向との双方に交差する方向への移動の規制には関与しない。ここで、光プリントヘッド１０５が露光位置である時、第１壁面５８８および第２壁面５８９と保持体５０５とは必ずしも非接触とする必要はなく、第１壁面５８８および第２壁面５８９を弾性変形可能な部材とするなどして、第１壁面５８８と第２壁面５８９とによって保持体５０５の左右方向への移動が規制されない構造としていれば十分である。
【００５５】
（移動機構）
以下、光プリントヘッド１０５を移動させるための移動機構６４０について説明する。
【００５６】
まず、第１支持部５２７ついて説明する。図９（ａ）は第１支持部５２７の概略斜視図である。第１支持部５２７には、突き当て部（停止機構）の一例としての第１座面５８６、差し込み部の一例としての開口部７００、当接部５２９、規制部１２７、突起６０１、ビス孔６０２、位置決めボス６０３、位置決めボス６０４、ビス孔６０５が形成されている。ここで、第１支持部５２７は、開口部７００と第１座面５８６とが一体的に射出成形された成形物であっても構わないし、互いに別部材であっても構わない。
【００５７】
第１座面５８６は、露光位置から退避位置に向けて移動する保持体５０５の下側が、鉛直方向上側から当接する部分であって、画像形成装置１本体に固定されている。保持体５０５の下側が第１座面５８６に当接し、光プリントヘッド１０５が退避位置となる。
【００５８】
開口部７００にはトナー等によって汚れたレンズアレイ５０６の光出射面を清掃するための清掃部材５７２が、画像形成装置１本体の外側から差し込まれる。清掃部材５７２は長尺の棒状の部材である。本実施例では、開口部７００の一例として前後方向に貫通する貫通孔を示すが、孔に限らず、例えば上部にスリットが形成されていても構わない。当接部５２９は、図９（ａ）に斜線で示すように第１支持部５２７の後側の面であって開口部７００の上側と下側の領域である。当接部５２９の機能については後で詳細を説明する。
【００５９】
図９（ａ）に示すように、規制部１２７は第１支持部５２７に形成された後側に開いたコの字状の凹部である。保持体５０５の下側から突き出た当接ピン５１４の一部は、規制部１２７によって形成された間隙の間を保持体５０５と共に上下移動する。規制部１２７は当接ピン５１４との接触で生じる摩擦力を可能な限り低減するため、テーパ形状を成しており、当接ピン５１４に近付くに従い上下方向の厚さが薄くなっている。これにより、当接ピン５１４は規制部１２７の間隙において滑らかに上下移動することができる。
【００６０】
第１支持部５２７は前側板６４２の前側の面に固定されている。前側板６４２には位置決めボス６０３、位置決めボス６０４、固定用のビスそれぞれに対応する複数の孔が形成されている（不図示）。位置決めボス６０３および位置決めボス６０４は、設けられた複数の孔に挿入されており、その状態で第１支持部５２７のビス孔から通されたビスによって第１支持部５２７は前側板６４２に固定されている。
【００６１】
後述する第３支持部５２６はコの字型に折り曲げられた板金である。図９（ｂ）は、第３支持部５２６の長手方向における一端部が図９（ａ）に示す点線で囲まれた部分に挿入される様子を説明するための図を示し、図９（ｃ）は第３支持部５２６の長手方向における一端部が図９（ａ）に示す点線で囲まれた部分に挿入された図を示す。図９（ｂ）および（ｃ）に示すように、第３支持部５２６の一端部には切欠きが設けられており、第１支持部５２７側の突起６０１が第３支持部５２６の切欠きに係合する。突起６０１が第３支持部５２６の切欠きに係合することによって第１支持部５２７に対して第３支持部５２６の左右方向の位置が決まる。第３支持部５２６は、ビス孔６０２から挿入されたビスによって図９（ｃ）の下側から加圧されて第１支持部５２７の接触面６８１に当接することによって第１支持部５２７に固定されている。
【００６２】
次に、第２支持部５２８について説明する。図１０（ａ）は第２支持部５２８の概略斜視図である。第２支持部５２８には、第２座面５８７と、第１壁面５８８と、第２壁面５８９と、第３壁面５９０と、規制部１２８が形成されている。
【００６３】
第２座面５８７は前で説明した通り、露光位置から退避位置に向けて移動する保持体５０５の下側が当接する部分である。第２座面５８７は、画像形成装置１本体に固定されている。保持体５０５の下側が第２座面５８７に当接し、光プリントヘッド１０５が退避位置となる。
【００６４】
図１０（ｂ）に示すように、第２支持部５２８は後側板６４３の前側の面に固定されている。第２支持部５２８は、第１支持部５２７が前側板６４２に固定される方法と同様に、位置決めボスおよびビスによって後側板６４３に固定されている。図１０（ｃ）は、第３支持部５２６の長手方向における第３支持部５２６の他端側（後側）が図１０（ａ）に示す点線で囲まれた部分に挿入された状態を示す。すなわち、第３支持部５２６は一端部が第１支持部５２７に支持され、他端部が第２支持部５２８に支持され、第１支持部５２７および第２支持部５２８がそれぞれ前側板６４２および後側板６４３に固定されている。そのため、第３支持部５２６は画像形成装置１本体に対して固定されていることになる。
【００６５】
なお、第２支持部５２８は第３支持部５２６に対してビス等によって固定され、後側板６４３とはビス留めされていない構成であっても構わない。その場合、例えば、第２支持部５２８には凹部が形成されており、後側板６４３に形成された凸部に嵌ることで、後側板６４３に対する第２支持部５２８の位置が決まる構造とする。第２支持部５２８の第１壁面５８８、第２壁面５８９については後述する。
【００６６】
図１０（ａ）に示すように、規制部１２８は第２支持部５２８に形成された前側に開いたコの字状の凹部である。保持体５０５の下側から突き出た当接ピン５１５の一部は、規制部１２８によって形成された間隙の間を保持体５０５と共に上下移動する。規制部１２８は当接ピン５１５との接触で生じる摩擦力を可能な限り低減するため、テーパ形状を成しており、当接ピン５１５に近付くに従い上下方向の厚さが薄くなっている。これにより、当接ピン５１５は規制部１２８の間隙において滑らかに上下移動することができる。
【００６７】
第３壁面５９０は、保持体５０５が後側へ移動することを規制する。第３壁面５９０を第１壁面５８８および第２壁面５８９と合わせて第２案内部と称しても構わない。第１壁面５８８および第２壁面５８９を第１支持部５２７に設ける構成とする場合には、当接部５２９によって保持体５０５が前側へ移動することを規制する。
【００６８】
次に、図１１を用いて第３支持部５２６およびスライド部５２５について説明する。第３支持部５２６およびスライド部５２５は、保持体５０５に対して感光ドラム１０３とは反対側に配置されている。
【００６９】
図１１（ａ）は、第１支持部５２７を不図示とした移動機構６４０の前側を左側から見た概略斜視図である。また、図１１（ｂ）は、第１支持部５２７を不図示とした移動機構６４０の前側を右側から見た概略斜視図である。移動機構６４０はリンク部材６５１と、スライド部５２５と、第３支持部５２６を備える。第３支持部５２６は、支持軸５３１と、Ｅ型止め輪５３３と、を備える。図１１に示すように、支持軸５３１は、コの字型に加工された第３支持部５２６の対向する面（左側面と右側面）に設けられた開口に挿入されている。支持軸５３１は第３支持部５２６の右側面および左側面を貫通している。支持軸５３１は、第３支持部５２６の開口から抜け落ちないように左側面の外側でＥ型止め輪５３３にて留められている。一方、図１１（ａ）に示すようにスライド部５２５には前後方向に延びる長尺の開口である長孔６９１が形成されている。支持軸５３１はスライド部５２５の長孔６９１に挿入されており、長孔６９１に対し例えば上下方向において０．１〜０．５ｍｍ程度の隙間を以て緩嵌している。そのため、スライド部５２５は、第３支持部５２６に対して上下方向の移動が規制され、長孔６９１の前後方向の長さの分だけ第３支持部５２６に対してスライド移動可能となる。
【００７０】
また、スライド部５２５の一端側には左側から下側に亘って収納スペース５６２を有するスライド補助部材５３９が取り付けられている。スライド補助部材５３９はスライド部５２５に対して左側からビス留めされることで固定されている。収納スペース５６２には後述するカバー５５８が備える押圧部の一例としての加圧部５６１が収納される。収納スペース５６２と加圧部５６１との関係および構造的特徴については、後のカバー５５８についての説明と合わせて記載する。
【００７１】
以下、図３、図１１および図１２を用いて移動機構６４０について説明する。
【００７２】
図３は移動機構６４０を備える露光ユニット５００の概略斜視図である。図３に示すように移動機構６４０は第１リンク機構８６１と、第２リンク機構８６２と、スライド部５２５と、第１支持部５２７と、第２支持部５２８と、第３支持部５２６を備える。第１リンク機構８６１はリンク部材６５１とリンク部材６５３を備え、第２リンク機構８６２はリンク部材６５２とリンク部材６５４を備える。図３に示すように、リンク部材６５１とリンク部材６５３、リンク部材６５２とリンク部材６５４はそれぞれλ型のリンク機構を構成する。
【００７３】
図１１（ａ）は、第１支持部５２７を不図示とした移動機構６４０の前側を左側から見た概略斜視図である。また、図１１（ｂ）は、第１支持部５２７を不図示とした移動機構６４０の前側を右側から見た概略斜視図である。
【００７４】
以下、図１１（ａ）、図１１（ｂ）、図１２（ａ）および図１２（ｂ）を用いて、第１リンク機構８６１について説明する。図１２（ａ）は、第１リンク機構８６１を感光ドラム１０３の回転軸線に沿った面で切断した断面図を右側から見た図である。第１リンク機構８６１は、リンク部材６５１と、リンク部材６５３を備える。第１リンク機構８６１を構成するリンク部材６５１およびリンク部材６５３はそれぞれ単一のリンク部材であるが、複数のリンク部材を組み合わせて構成しても良い。
【００７５】
図１２（ａ）および（ｂ）に示すように、リンク部材６５３の長手方向の長さはリンク部材６５１の長手方向の長さよりも短い。
【００７６】
リンク部材６５１は、軸受部６１０、突起６５５、および接続軸部５３８、を備える。軸受部６１０はリンク部材６５１の長手方向の一端側に設けられている。突起６５５は、リンク部材６５１の長手方向の他端側に設けられた、リンク部材６５１の回動軸線方向に立設した円柱状の突起であって、光プリントヘッド１０５の保持体５０５側に設けられたバネを変形させるための突起である。接続軸部５３８はリンク部材６５１の長手方向において軸受部６１０と突起６５５との間に設けられている。なお、移動部は突起６５５に限らず、リンク部材６５１の長手方向の一端側が回動軸線方向に屈曲した構造でも構わない。
【００７７】
軸受部６１０には図１２（ａ）の左右方向に延びる円形の中空孔が形成されている。スライド部５２５には嵌合軸部５３４が設けられている。嵌合軸部５３４はスライド部５２５から図１２（ａ）の左方向に立設した円柱状の突起である。嵌合軸部５３４は軸受部６１０の孔に対して回動可能に嵌合されることで第１接続部を形成する。すなわち、リンク部材６５１は第１接続部を回動中心としてスライド部５２５に対して回動可能となっている。ここで、嵌合軸部５３４がリンク部材６５１側に形成され、軸受部６１０がスライド部５２５に形成されていても構わない。
【００７８】
リンク部材６５３は、接続軸部５３０を備える。接続軸部５３０はリンク部材６５３の長手方向の一端側に設けられている。接続軸部５３０はリンク部材６５３から図１２（ａ）の左側に立設した円柱状の突起である。接続軸部５３０は第３支持部５２６に形成された孔に回転可能に挿入され、第３接続部を形成する。ここで、接続軸部５３０はリンク部材６５３ではなく、第３支持部５２６に形成されていても構わない。すなわち、リンク部材６５３に形成された孔に第３支持部に形成された接続軸部５３０が挿入されていてもよい。
【００７９】
リンク部材６５３の長手方向の他端側には図１２（ａ）の左右方向に延びる円形の孔が形成されている。当該孔にはリンク部材６５１の接続軸部５３８が回動可能に挿入されており、接続軸部５３８とリンク部材６５３の孔は第４接続部を形成する。すなわち、リンク部材６５３は、第３接続部を回動中心に第３支持部５２６に対して回動可能であり、第４接続部を回動中心にリンク部材６５１に対して回動可能となっている。ここで、接続軸部５３８はリンク部材６５１ではなく、リンク部材６５３に形成されていても構わない。すなわち、リンク部材６５１に形成された孔にリンク部材６５３に形成された接続軸部５３８が挿入されてもよい。
【００８０】
なお、第２リンク機構８６２の構成についても、上で説明した第１リンク機構８６１の構成と同様である。第２リンク機構８６２が備えるリンク部材６５２およびリンク部材６５４は、それぞれリンク部材６５１およびリンク部材６５３に対応する。また、第１接続部に対応して、リンク部材６５２の長手方向の一端側とスライド部５２５との接続部分は第２接続部を構成する。移動部の一例として、リンク部材６５２には、リンク部材６５１の突起６５５に対応する突起６５６が形成されている。なお、移動機構６４０の実施の形態はリンク部材６５３とリンク部材６５４のいずれか一方を省略しても良い。
【００８１】
以上の構成により、スライド部５２５が第３支持部５２６に対して前側から後側へスライド移動すると、スライド部５２５と共に嵌合軸部５３４に嵌合した軸受部６１０が第３支持部５２６に対して前側から後側へスライド移動する。これにより、図１２（ａ）に示すように第１リンク機構８６１を右側から見た時、リンク部材６５１は嵌合軸部５３４を回動中心として時計回りに回動し、かつ、リンク部材６５３は接続軸部５３０を回動中心として反時計回りに回動する。よって、突起６５５が露光位置から退避位置へと向かう方向へ移動する。
【００８２】
一方、スライド部５２５が第３支持部５２６に対して後側から前側へスライド移動すると、リンク部材６５１およびリンク部材６５３は図１２（ａ）に記載の矢印とは逆方向に移動する。スライド部５２５が、第３支持部５２６に対して後側から前側へスライド移動するとスライド部５２５と共に嵌合軸部５３４に嵌合した軸受部６１０が第３支持部５２６に対して後側から前側へスライド移動する。これにより、図１２（ａ）に示すように第１リンク機構８６１を右側から見た時、リンク部材６５１は嵌合軸部５３４を回動中心として反時計回りに回動し、かつ、リンク部材６５３は接続軸部５３０を回動中心として時計回りに回動する。よって、突起６５５は退避位置から露光位置へと向かう方向へ移動する。
【００８３】
なお、（１）接続軸部５３８の回動中心軸と軸受部６１０の回動中心軸との距離をＬ１、（２）接続軸部５３８の回動中心軸と接続軸部５３０の回動中心軸との距離をＬ２、（３）接続軸部５３８の回動中心軸と突起６５５の回動中心軸との距離をＬ３とする。移動機構６４０において第１リンク機構８６１は、Ｌ１、Ｌ２、Ｌ３は互いに等しいスコットラッセル機構を形成する（図１２（ｂ）参照）。距離Ｌ１、Ｌ２、Ｌ３は等しくすることによって、嵌合軸部５３４のスライド移動方向に対して突起６５５が垂直に移動（図１２（ｂ）の点線Ａ上）するため、上記のリンク機構において光プリントヘッド１０５をレンズの略光軸方向に移動させることができる。
【００８４】
ここで、第１リンク機構８６１と、第２リンク機構８６２と、のそれぞれを前後方向で逆の構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。
【００８５】
光プリントヘッド１０５を移動させる機構は移動機構６４０に限らず、図１３に示す移動機構１４０でも構わない。以下、図１３および図１４を用いて移動機構１４０について説明する。なお、移動機構６４０を構成する部材と実質的に同じ機能を有する部材には同じ符合を付して説明し、重複する説明は省略する場合がある。
【００８６】
以下、図１３（ａ）、図１３（ｂ）、および図１４（ａ）、図１４（ｂ）を用いて、移動機構１４０が保持体５０５を移動させる仕組みについて説明する。図１４（ａ）は、保持体５０５と図１４（ｂ）に示す移動機構１４０とを感光ドラム１０３の回転軸線に沿った面で切断した断面図である。
【００８７】
図１３（ａ）および（ｂ）に示すように、リンク部材１５１は、軸受部１１０と、突起１５５を備える。軸受部１１０はリンク部材１５１の長手方向の一端側に設けられている。図１４（ａ）および（ｂ）に示すように突起１５５は、リンク部材１５１の長手方向の他端側に設けられた、リンク部材１５１の回動軸線方向に立設した円柱状の突起であって、光プリントヘッド１０５の保持体５０５側に設けられたバネを変形させるための突起である。ここで、移動部は突起１５５に限らず、リンク部材１５１の長手方向の一端側がリンク部材１５１の回動軸線方向に屈曲した構造でも構わない。
【００８８】
軸受部１１０には左右方向に延びる円形の中空孔が形成されている。図１４（ａ）および（ｂ）に示すように、スライド部５２５には嵌合軸部５３４が設けられている。嵌合軸部５３４はスライド部５２５から左方向に立設した円柱状の突起である。軸受部１１０の孔が嵌合軸部５３４に対して回動可能に嵌合されることで第１接続部を形成する。すなわち、リンク部材１５１は第１接続部を回動中心としてスライド部５２５に対して回動可能となっている。ここで、嵌合軸部５３４がリンク部材１５１側に形成され、軸受部１１０がスライド部５２５に形成されていても構わない。
【００８９】
なお、第３支持部５２６の後側には支持軸５３１と同様の軸が設けられ、スライド部５２５の後側には長孔６９１と同様の長孔が形成されており、移動機構１４０の後側は前側と同様の構造である。リンク部材１５２の構造についても、リンク部材１５１と同様である。また、第１接続部に対応して、リンク部材１５２の長手方向の一端側とスライド部５２５との接続部分は第２接続部を構成する。
【００９０】
保持体５０５の一端より前側には第１支持部５２７（不図示）の当接部５２９が配置されている。これにより、スライド部５２５が第３支持部５２６に対して後側から前側へスライド移動すると、スライド部５２５と共に嵌合軸部５３４に嵌合した軸受部１１０が第３支持部５２６に対して後側から前側へスライド移動する。それに伴い、突起１５５が取り付けられた保持体５０５も前側に移動しようとするが、保持体５０５の一端は当接部５２９に当接しており前側への移動が制限される。リンク部材１５１は、突起１５５を備える一端側が軸受部１１０を備える他端側よりドラムユニット５１８側に位置するように感光ドラム１０３の回転軸線方向に交差して配置されているため、図１４（ａ）に示すように右側から見ると嵌合軸部５３４を回動中心として反時計回りに回動する。よって、保持体５０５は、保持体５０５の一端が当接部５２９に当接しながら退避位置から露光位置に向かって移動する。
【００９１】
一方、スライド部５２５が、第３支持部５２６に対して前側から後側へスライド移動するとスライド部５２５と共に嵌合軸部５３４に嵌合した軸受部１１０が第３支持部５２６に対して後側から前側へスライド移動する。これにより、リンク部材１５１は、図１４（ａ）に示すように右側から見ると嵌合軸部５３４を回動中心として時計回りに回動する。よって、突起１５５は露光位置から退避位置へと向かう方向へ移動する。詳しくは後述するが、スライド部５２５はカバー５５８の閉動作に連動して後側から前側に移動し、カバー５５８の開動作に連動して前側から後側に移動する。すなわち、カバー５５８が開状態から閉状態に移動すると保持体５０５が退避位置から露光位置へ向かう方向に移動し、カバー５５８が閉状態から開状態に移動すると保持体５０５が露光位置から退避位置へ向かう方向に移動する。
【００９２】
光プリントヘッド１０５を移動させる機構は移動機構１４０や移動機構６４０に限らず、図１５に示す移動機構８４０でも構わない。以下、図１５を用いて移動機構８４０について説明する。なお、移動機構１４０（８４０）を構成する部材と実質的に同じ機能を有する部材には同じ符合を付して説明し、重複する説明は省略する場合がある。
【００９３】
図１５（ａ１）および図１５（ａ２）は移動機構８４０である。図１５（ａ１）および図１５（ａ２）に示すように移動機構８４０は第１リンク機構８５８と、第２リンク機構８５９と、スライド部８２５と、第３支持部５２６を備える。第１リンク機構８５８はリンク部材８４３とリンク部材８４４を備え、第２リンク機構８５９はリンク部材８４５とリンク部材８４６を備える。図１５に示すように、リンク部材８４３とリンク部材８４４、リンク部材８４５とリンク部材８４６はそれぞれ互いに回動可能に交差してＸ型のリンク機構を構成する。リンク部材８４３の突起８４７、リンク部材８４４の突起８４８、リンク部材８４５の突起８４９、リンク部材８４６の突起８５０がそれぞれ不図示の保持体８０５に回動可能に取り付けられている。図１５（ａ１）においてスライド部８２５を矢印Ａ方向にスライド移動させるとリンク部材８４３〜８４６がスライド部８２５に対して回動し、突起８４７〜８５０が下側へ移動する（図１５（ａ２））。一方、図１５（ａ２）においてスライド部８２５を矢印Ｂ方向にスライド移動させるとリンク部材８４３〜８４６がスライド部８２５に対して回動し、突起８４７〜８５０が上側へ移動する（図１５（ａ１））。
【００９４】
図１５（ｂ）は、移動機構８４０の前側を保持体８０５の前側と合わせて示した図である。
【００９５】
以下、図１５（ｂ）を用いて、移動機構８４０が保持体８０５を移動させる仕組みについて説明する。ここで、第１リンク機構８５８と第２リンク機構８５９の動作は実質的に同一のため、ここでは第１リンク機構８５８について図１５（ｂ）を用いて説明する。第１リンク機構８５８は、リンク部材８４３と、リンク部材８４４を備える。第１リンク機構８５８を構成するリンク部材８４３およびリンク部材８４４はそれぞれ単一のリンク部材であるが、複数のリンク部材を組み合わせて構成しても良い。
【００９６】
図１５（ｂ）における移動機構８４０は、第１リンク機構８５８、スライド部８２５を備える。図１５（ｂ）に示すように、スライド部８２５は左右方向に貫通し前後方向に延びた長尺の開口である長孔８６３を備える。
【００９７】
リンク部材８４３は、突起８１０、突起８４７および接続軸部５３８、を備える。突起８１０はリンク部材８４３の長手方向の一端側に設けられている。突起８４７は、リンク部材８４３の長手方向の他端側に設けられた、リンク部材８４３の回動軸線方向であって右側に立設した円柱状の突起である。接続軸部５３８はリンク部材８４３の長手方向において突起８１０と突起８４７との間に設けられている。なお、第１移動部は突起８４７に限らず、リンク部材８４３の長手方向の一端側が回動軸線方向に屈曲した構造でも構わない。
【００９８】
突起８１０はスライド部８２５の長孔８６３に対して回動可能に緩嵌されることで第１接続部を形成する。すなわち、リンク部材８４３は第１接続部を回動中心としてスライド部８２５に対して回動可能となっている。また、突起８１０は長孔８６３において長孔８６３の前後方向の範囲内（開口内）で前後方向に移動可能である。長孔８６３の後側の縁と突起８１０との間にはコイルばね８６０が配置されている。
【００９９】
リンク部材８４４は、接続軸部５３０と突起８４８を備える。接続軸部５３０はリンク部材８４４の長手方向の一端側に設けられている。接続軸部５３０はリンク部材８４４から図１５（ｂ）の右側に立設した円柱状の突起である。接続軸部５３０は第３支持部５２６に形成された孔に回転可能に挿入され、第３接続部を形成する。ここで、接続軸部５３０はリンク部材８４４ではなく、第３支持部５２６に形成されていても構わない。すなわち、リンク部材８４４に形成された孔に第３支持部に形成された接続軸部５３０が挿入されていてもよい。
【０１００】
突起８４８は、リンク部材８４４の長手方向の他端側に設けられた、リンク部材８４４の回動軸線方向であって右側に立設した円柱状の突起である。
【０１０１】
また、リンク部材８４４の突起８４８と第３接続部との間には図１５（ｂ）の左右方向に延びる円形の孔が形成されている。当該孔にはリンク部材８４３の接続軸部５３８が回動可能に挿入されており、接続軸部５３８とリンク部材８４４の孔は第４接続部を形成する。すなわち、リンク部材８４４は、第３接続部を回動中心に第３支持部５２６に対して回動可能であり、第４接続部を回動中心にリンク部材８４３に対して回動可能となっている。ここで、接続軸部５３８はリンク部材８４３ではなく、リンク部材８４４に形成されていても構わない。すなわち、リンク部材８４３に形成された孔にリンク部材８４４に形成された接続軸部５３８が挿入されてもよい。
【０１０２】
なお、移動機構８４０の実施の形態はリンク部材８４３とリンク部材８４４のいずれか一方を省略しても良い。
【０１０３】
保持体８０５は、レンズアレイ５０６、リンク取付部８５１、リンク取付部８５２、ピン取付部８５５を備える。リンク取付部８５１及びリンク取付部８５２は共に、レンズアレイ５０６と保持体８０５に取り付けられるピン５１４の間に設けられる。なお、ここでは図示しないが、第２リンク機構８５９を構成するリンク部材８４５及びリンク部材８４６が取り付けられるリンク取付部８５３及びリンク取付部８５４も共に、レンズアレイ５０６と保持体８０５の他端側に取り付けられるピン５１５の間に設けられる。リンク取付部８５１は、レンズアレイ５０６とピン取付部８５５との間において保持体８０５に形成された、左右方向に貫通した孔である。また、リンク取付部８５２はレンズアレイ５０６とリンク取付部８５１との間において保持体８０５に形成された、左右方向に貫通し前後方向に延びる長孔である。
【０１０４】
リンク取付部８５１にはリンク部材８４３の突起８４７が回動可能に取り付けられており、リンク取付部８５２にはリンク部材８４４の突起８４８が回動可能に取り付けられている。また、突起８４８はリンク取付部８５１に対して前後方向に移動可能に取り付けられている。したがって、リンク部材８４４は突起８４８を回動中心として回動しながらリンク取付部８５２の前後方向の範囲内で前後方向にスライド移動可能である。
【０１０５】
以上の構成により、スライド部８２５が第３支持部５２６に対して前側から後側へスライド移動すると、スライド部８２５と共に突起８１０が第３支持部５２６に対して前側から後側へスライド移動する。これにより、図１５（ａ１）に示すように第１リンク機構８５８を右側から見た時、リンク部材８４３は突起８１０を回動中心として時計回りに回動し、かつ、リンク部材８４４は接続軸部５３０を回動中心として反時計回りに回動しながら突起８４８はリンク取付部８５２において前側から後側へ移動する。よって、突起８４７及び突起８４８が露光位置から退避位置へと向かう方向へ移動する。
【０１０６】
一方、スライド部８２５が第３支持部５２６に対して後側から前側へスライド移動すると、スライド部８２５と共に突起８１０が第３支持部５２６に対して後側から前側へスライド移動する。これにより、図１５（ａ２）に示すように第１リンク機構８５８を右側から見た時、リンク部材８４３は突起８１０を回動中心として反時計回りに回動し、かつ、リンク部材８４４は接続軸部５３０を回動中心として時計回りに回動しながら突起８４８はリンク取付部において後側から前側へ移動する。よって、突起８４７及び突起８４８が退避位置から露光位置へと向かう方向へ移動する。図１５（ｂ）に示すように、当接ピン５１４が当接面５５０に当接した状態で、更にスライド部８２５が前側へスライド移動すると、コイルばね８６０が長孔８６３の後側の縁と突起８１０とに挟まれて収縮する。収縮したコイルばね８６０の復元力によって、突起８１０は前側へ付勢される。これにより、保持体８０５に上側へ向かう方向の付勢力が付与される。
【０１０７】
ここで、第１リンク機構８５８と、第２リンク機構８５９と、のそれぞれを前後方向で逆の構造とし、スライド部８２５を前側から後側へスライド移動させると光プリントヘッド１０５が退避位置から露光位置に向けて移動し、スライド部８２５を後側から前側へスライド移動させると光プリントヘッド１０５が露光位置から退避位置に向けて移動する構成としても構わない。この場合、後述するカバー５５８は、開状態から閉状態への移動時にスライド部８２５を前側から後側へ押し込み、閉状態から開状態への移動時にスライド部８２５を後側から前側へ引き込む。
【０１０８】
次に、図１６を用いてカバー５５８について説明する。カバー５５８はスライド部５２５を上記のようにスライド移動させるための部材である。なお、スライド部５２５をスライド移動させる構成はカバー５５８に限定されるものではない。例えば、不図示の前扉の開閉に連動してスライド部５２５がスライド移動するように構成しても良い。また、カバー５５８や扉のような被覆部材ではなく、レバーのような回動部材の回動に連動してスライド部５２５がスライド移動するように構成しても良い。
【０１０９】
図１６（ｂ）はカバー５５８の斜視図である。図１６（ａ）に示すように、カバー５５８は、回動軸部５５９と、回動軸部５６０と、を備える。回動軸部５５９は、カバー５５８の右側方向に突出する円柱形状の突起である。一方、回動軸部５６０は、カバー５５８の左側方向に突出する円柱形状の突起である。
【０１１０】
図１６（ｂ）に前側板６４２にカバー５５８が取り付けられる部分の拡大図を示す。また図１６（ｂ）は、前側板６４２に取り付けられたカバー５５８の斜視図である。図１６（ｂ）に示すように、前側板６４２には、カバー５５８の回動軸部５５９が嵌合する軸受部材６２１と、回動軸部５６０が嵌合する軸受部材６２２と、が設けられている。図１６（ｃ）に示すように、カバー５５８の回動軸部５５９が前側板６４２の軸受部材６２１に回動可能に嵌合し、回動軸部５６０が前側板６４２の軸受部材６２２に回動可能に嵌合している。図１６（ａ）に示すように、回動軸部５５９の回動軸線と回動軸部５６０の回動軸線は同軸線上（回動軸線５６３上）にある。当該回動軸線５６３は感光ドラム１０３の回転軸線よりも鉛直方向下側に位置する。カバー５５８は、画像形成装置１本体に対して回動軸線５６３を回動中心として回動し、開閉可能である。カバー５５８は、ドラムユニット５１８および現像ユニット６４１を交換する際の移動経路を塞ぐために閉まった閉状態（閉鎖位置）と移動経路を確保するために開いた開状態（開放位置）とを移動する。そのため、カバー５５８が閉状態であると、作業者はドラムユニット５１８、現像ユニット６４１の交換作業を行うことができない。作業者は、カバー５５８を開くことによってドラムユニット５１８を交換することができ、作業終了後にカバー５５８を閉じる。
【０１１１】
次に、図１７〜図２０を用いて、カバー５５８（回動部材）の開閉動作に連動してスライド部５２５が感光ドラム１０３の回転軸線方向にスライド移動する構成について詳しく説明する。
【０１１２】
図１７（ａ）〜（ｄ）は開状態から閉状態に向けて回動するカバー５５８を示す斜視図である。図１７（ａ）〜（ｄ）は開状態から閉状態に向けて回動するカバー５５８を示す断面図である。図１７（ａ）、および図１８（ａ）はカバー５５８の開状態を示している。図１７（ｄ）、および図１８（ｄ）はカバー５５８の閉状態を示している。図１７（ｂ）および図１８（ｂ）、並びに図１７（ｃ）および図１８（ｃ）は、開状態から閉状態に移行するカバー５５８を示す図である。なお、図１７（ｄ）、および図１８（ｄ）に示す閉状態のカバー５５８は、本体に係合するスナップフィット機構や回動防止のストッパーなどによって閉状態を維持する。
【０１１３】
図１７（ａ）〜（ｄ）に示すように、カバー５５８は、画像形成装置１本体に対して回動軸線５６３を中心に回動する。カバー５５８は、回動軸線５６３よりも下側に回動軸線５６３周りを移動する加圧部５６１（押圧部）を備える。加圧部５６１は、カバー５５８は左側から右側に向けて突出する、例えば円柱状の突起であって、スライド部５２５の一端に取り付けられた収納スペース５６２に位置する。加圧部５６１は、図１８（ａ）〜（ｄ）に示すように、カバー５５８の回動に伴って、回動軸線５６３を中心とする円上の一部（移動軌跡５６４）を移動する。カバー５５８が開状態である時、加圧部５６１は回動軸線５６３よりも後側に位置し、カバー５５８が閉状態である時、加圧部５６１は回動軸線５６３よりも前側に位置する。また、カバー５５８が閉状態である時の加圧部５６１の位置は、カバー５５８が開状態である時の加圧部５６１よりも感光ドラム１０３側に位置する。
【０１１４】
図１８（ａ）〜（ｄ）に示すように、スライド部５２５は一端側にスライド補助部材５３９が取り付けられている。スライド補助部材５３９には、後述する加圧部５６１が収納される収納スペース５６２が形成されている。また、スライド補助部材５３９は、第１被押圧部５６６、第２被押圧部５６７、第３被押圧部５６９を備える。図１８（ａ）に示すように、光プリントヘッド１０５が退避位置にある場合、第１被押圧部５６６は移動軌跡５６４上に位置し、第２被押圧部５６７は移動軌跡５６４に沿う方向において第１被押圧部５６６よりも下流側（前側）であって第１被押圧部５６６に隣接して設けられている。第３被押圧部５６９は第２被押圧部５６７よりも上側であって下流側（前側）に位置する。図１８（ｃ）に示すように、第２被押圧部５６７の形状は、加圧部５６１が第２被押圧部５６７上にある場合における回動軸線５６３を中心とする円の一部と一致する形状である。この時の、回動軸線５６３を中心として回動軸線５６３から第２被押圧部５６７までの距離を半径とする円の曲率は、移動軌跡５６４の曲率と等しい。なお、第２被押圧部５６７は、厳密に移動軌跡５６４に沿った形状である必要はない。例えば、第１被押圧部５６６と第２被押圧部５６７との境界部分に最も近い移動軌跡５６４上の点を接点とする接線に、概ね沿った形状（後側から前側に向けて感光ドラム１０３側に傾斜した傾斜面）でも構わない。加圧部５６１が第１被押圧部５６６に当接した状態から、カバー５５８が開状態から閉状態に向けて移動することに連動して、加圧部５６１は第１被押圧部５６６上、第２被押圧部５６７上、第４被押圧部５６８上を順に移動する。
【０１１５】
図１８（ａ）〜（ｄ）を用いて加圧部５６１のスライド部５２５に対する作用について説明する。カバー５５８が図１８（ａ）の状態（開放位置）の時、光プリントヘッド１０５は退避位置に位置し、加圧部５６１は第１被押圧部５６６と第２被押圧部５６７とよりも他端側に位置する。図１８（ａ）の状態からカバー５５８が時計回りに回動すると、加圧部５６１が、移動軌跡５６４上に位置する第１被押圧部５６６（被押圧部）に当接する（図１８（ｂ））。この状態からさらにカバー５５８が時計回りに回動すると、加圧部５６１は第１被押圧部５６６を前側に押圧する。それにより、スライド補助部材５３９が前側に移動する。スライド補助部材５３９はスライド部５２５に固定されているため、スライド部５２５もスライド補助部材５３９の移動と共に前側にスライド移動する。ここで、カバー５５８の回動量に対するスライド部５２５の移動量を可能な限り大とするため、理想的には、第１被押圧部５６６は感光ドラム１０３の回転軸線に対して垂直であることが望ましい。しかし、厳密に垂直である必要はなく、例えば、当該垂直方向から前側に０〜１０°程度傾倒しても構わない。
【０１１６】
さらに、カバー５５８が時計回りに回動すると、加圧部５６１は第１被押圧部５６６上から第２被押圧部５６７上に移動する（図１８（ｃ））。第２被押圧部５６７は、加圧部５６１の移動軌跡５６４に沿う形状をなしているため、図１８（ｃ）の状態からカバー５５８がさらに時計回りに回動した場合、加圧部５６１は第２被押圧部５６７に接触しながら上側に移動するが、加圧部５６１からスライド補助部材５３９をさらに前側にスライド移動させる力は付与されない。すなわち、スライド部５２５は、カバー５５８の回動に連動して移動することなく停止した状態を維持する。カバー５５８が図１８（ｃ）の状態（閉鎖位置）の時、光プリントヘッド１０５は露光位置に位置し、加圧部５６１は第１被押圧部５６６よりも一端側であって第１被押圧部５６６よりも感光ドラム１０３の回転軸線側に位置する。
【０１１７】
図１７（ｃ）及び図１８（ｃ）より、カバー５５８が開状態から閉状態に向けて回動し、保持体５０５が露光位置となった直後、加圧部５６１は収納スペース５６２の第２被押圧部５６７に当接している。図１８（ｃ）の状態からカバー５５８がさらに時計回りに回動した場合、加圧部５６１は第２被押圧部５６７に当接した状態で滑りながら移動する。加圧部５６１が第２被押圧部５６７に当接した状態では、移動軌跡５６４と第２被押圧部５６７との距離は、加圧部５６１の位置に依らず等しい。そのため、カバー５５８が回動しても、加圧部５６１から第２被押圧部５６７に対して、スライド補助部材５３９をさらに前側にスライド移動させる力は付与されない。したがって、加圧部５６１が第２被押圧部５６７上を移動する間、スライド補助部材５３９が後側から前側に向けて移動することはない。また、保持体５０５等の自重によりスライド部５２５は前側から後側に向けてスライド移動しようとするが、加圧部５６１が後側から前側に向けて第２被押圧部５６７に突き当たっているため、スライド部５２５は前側から後側に向けて移動することはない。つまり、本実施例の移動機構６４０は、加圧部５６１が第１被押圧部５６６上に当接した状態でカバー５５８が回動すると、スライド部５２５は加圧部５６１の移動に連動してスライド移動するが、加圧部５６１が第２被押圧部５６７上に当接した状態においてカバー５５８が回動してもスライド部５２５はスライド移動しないように構成されている。図１８（ｃ）の状態からさらにカバー５５８が時計回りに回動すると、加圧部５６１は第３被押圧部５６９上に移動し、カバー５５８は図１８（ｄ）に示す閉状態となる。
【０１１８】
以上のような構成にすることで、加圧部５６１が第２被押圧部５６７に接触（もしくは押圧）している場合における加圧部５６１の前後方向の移動量に対するスライド部５２５の前後方向の移動量は、加圧部５６１が第１被押圧部５６６を押圧している場合における加圧部５６１の前後方向の移動量に対するスライド部５２５の前後方向の移動量よりも少なくすることができる。すなわち、加圧部５６１が第２被押圧部５６７に接触（もしくは押圧）している場合における加圧部５６１の前後方向の移動量に対する突起６５５の上下方向の移動量は、加圧部５６１が第１被押圧部５６６を押圧している場合における加圧部５６１の前後方向の移動量に対する突起６５５の上下方向の移動量よりも少なくすることができる。
【０１１９】
図１９（ａ）〜（ｄ）は閉状態から開状態に向けて回動するカバー５５８を示す斜視図である。図２０（ａ）〜（ｄ）は開状態から閉状態に向けて回動するカバー５５８を示す断面図である。図１９（ａ）、および図２０（ａ）はカバー５５８の閉状態を示している。図１９（ｄ）、および図２０（ｄ）はカバー５５８の開状態を示している。図１９（ｂ）および図２０（ｂ）、並びに図１９（ｃ）および図２０（ｃ）は、閉状態から開状態に移行するカバー５５８を示す図である。
【０１２０】
図２０（ａ）に示すカバー５５８が閉状態において、光プリントヘッド１０５の自重および後述するバネの復元力によってスライド部５２５には第１リンク機構８６１および第２リンク機構８６２を介して前側から後側にスライドする力が作用する。しかしながら、閉状態のカバー５５８は回動しないように画像形成装置１本体に対して固定されており、加圧部５６１がスライド補助部材５３９の後側への移動を制限しているため、スライド部５２５が後側にスライド移動しない。
【０１２１】
図２０に示すように、スライド補助部材５３９は、第４被押圧部５６８を備える。第４被押圧部５６８は前記移動軌跡５６４上にであって加圧部５６１よりも後側に設けられており、第１被押圧部５６６と対向している。ここで、本実施例において、第４被押圧部５６８は感光ドラム１０３の回転軸線に対して垂直であるが、厳密に垂直である必要はなく、例えば、当該垂直方向から前側若しくは後側に０〜１０°程度傾倒しても構わない。
【０１２２】
図２０（ａ）からカバー５５８が反時計回りに回動すると、図２０（ｂ）に示すように加圧部５６１が第４被押圧部５６８に当接する。図２０（ｂ）の状態からさらにカバー５５８が反時計回りに回動すると、図２０（ｂ）および図２０（ｃ）に示すように加圧部５６１が第４被押圧部５６８を前側から後側に向けて押圧するため、スライド部５２５が後側に向かって移動する。その後、さらにカバー５５８が反時計回りに回動すると、図２０（ｄ）に示すようにカバー５５８が開状態になる。
【０１２３】
加圧部５６１が第４被押圧部５６８を押圧する機構は次の理由により設けられている。すなわち、図１９（ａ）の状態からカバー５５８を反時計回りに回動させて加圧部５６１によるスライド補助部材５３９に対する移動の制限が解除されても、各リンク部材同士の摩擦力やリンク部材６５１またはリンク部材６５３とスライド部５２５との摩擦力、リンク部材６５２またはリンク部材６５４と第３支持部５２６との摩擦力が大きいと、スライド部５２５が後側に移動しない場合が考えられる。つまり、カバー５５８を開いてもスライド部５２５がスライド移動しない場合が考えられる。それに対して、カバー５５８を開くことによってスライド部５２５が後側に向かって移動するように、本実施例の移動機構は加圧部５６１が第４被押圧部５６８を押圧する機構を含んでいる。
【０１２４】
以上の構成により、メンテナンスを行う作業者がカバー５５８を開閉させることで、カバー５５８の移動に連動してスライド部５２５が第３支持部５２６に対してスライド移動する。
【０１２５】
なお、スライド部５２５をスライド移動させる部材としては、カバー５５８に限らず、レバーを用いても構わない。また、この場合に、当該レバーを画像形成装置１本体に回動可能に取り付けられたカバーと一体の構造として、メンテナンスを行う作業者がカバーを開閉することに連動してレバーが移動するようにしても構わない。
【０１２６】
本実施例における、第１被押圧部５６６、第２被押圧部５６７、第４被押圧部５６８は加圧部５６１が接触する面であるが、その構造は面状のものに限らず線状であっても構わない。
【０１２７】
次に、保持体５０５とリンク部材６５１との接続機構について説明する。図２１（ａ）、（ｃ）は、前後方向における保持体５０５の一端側を示す斜視図である。図２１（ｂ）、（ｄ）は、前後方向における保持体５０５の他端側を示す斜視図である。
【０１２８】
図２１（ａ）に示すように、保持体５０５は、レンズアレイ５０６が取り付けられるレンズ取付部７０１と、コイルばね５４７が取り付けられるバネ取付部６６１と、コイルばね５４８が取り付けられるバネ取付部６６２と、当接ピン５１４が取り付けられるピン取付部６３２と、当接ピン５１５が取り付けられるピン取付部６３３と、を備える。保持体５０５は、レンズ取付部７０１、基板取付部７０２（不図示）、バネ取付部６６１、バネ取付部６６２が一体的に射出成形された樹脂製の成形物である。前後方向において、レンズ取付部７０１の一端側にバネ取付部６６１が配置され、バネ取付部６６１よりもさらに保持体５０５の端部側にピン取付部６３２が配置されている。また、前後方向において、レンズ取付部７０１の他端側にバネ取付部６６２が配置され、バネ取付部６６２よりもさらに保持体５０５の端部側にピン取付部６３２が配置されている。保持体５０５において、レンズ取付部７０１、バネ取付部６６１、ピン取付部６３２が形成されている箇所を図示するとそれぞれ、Ｃの領域、Ｂの領域、Ａの領域で示す箇所となる。保持体５０５は、レンズアレイ５０６より前側、当接ピン５１４より後側においてコイルばね５４７を介しリンク部材６５１の突起１５５によって下側から上側に向けて付勢力が付与される。また、図２１（ｃ）を用いて、レンズ取付部７０１、バネ取付部６６２、ピン取付部６３３が形成されている箇所を図示するとそれぞれ、Ｃの領域、Ｄの領域、Ｅの領域で示す箇所となる。保持体５０５は、レンズアレイ５０６より後側、当接ピン５１５より前側においてコイルばね５４８を介しリンク部材６５２の突起１５６によって下側から上側に向けて付勢力が付与される。
【０１２９】
まず、バネ取付部６６１について説明する。バネ取付部６６１は、第１壁部７５１、第２壁部７５２、第１係合部５４３、第２係合部５４４を含む。第１壁部７５１は左右方向における保持体５０５の一端側に配置され、第２壁部７５２は左右方向における保持体５０５の他端側に設けられている。本実施例において、左右方向において第１壁部７５１および第２壁部７５２は当接ピン５１４の両側に配置されている。図２１（ａ）に示すように、第１壁部７５１と第２壁部７５２はそれぞれ互いに対面する内壁面を含む。第１壁部７５１には開口７５５が形成され、第２壁部７５２には開口７５６が形成されている。開口７５５および開口７５６は上下方向に延びる長孔である。開口７５５および開口７５６には突起１５５が挿入されている。突起１５５は開口７５５および開口７５６に対して嵌合されておらず、前後方向において最も狭いところで０．５ｍｍ程度の間隙を以て挿入されている。そのため、突起１５５は、開口７５５および開口７５６の内壁面から大きな摩擦力を受けることなく、開口７５５および開口７５６によって上下方向にその移動方向を案内される。
【０１３０】
図２１（ｂ）は、図２１（ａ）から第１壁部７５１を取り除いた図面である。左右方向において第１壁部７５１と第２壁部７５２との間に第１係合部５４３と第２係合部５４４が配置されている。また、前後方向において、この第１係合部５４３と第２係合部５４４はそれぞれ開口７５５と開口７５６との間に配置されている。本実施例において、第１係合部５４３は第２係合部５４４よりも保持体５０５の端部側に配置されている。第１係合部５４３および第２係合部５４４は、保持体５０５の第１壁部７５１と第２壁部７５２とを連結する連結部分から下方に突出する突起である。第１係合部５４３にはコイルばね５４７の一端が係合され、第２係合部５４４にはコイルばね５４７の他端が係合される。第１係合部５４３と第２係合部５４４とに係合したコイルばね５４７が開口７５５および開口７５６を横断するように、第１係合部５４３および第２係合部５４４はバネ取付部６６１に配置されている。
【０１３１】
上下方向において、第１係合部５４３と第２係合部５４４は互いに異なる位置に配置されている。本実施例において、第１係合部５４３が第２係合部５４４よりも感光ドラム１０３側に配置されている。なお、第１係合部５４３と第２係合部５４４は上下方向において同一に設けても良いし、第２係合部５４４が第１係合部５４３よりも感光ドラム１０３側に配置されていても良い。
【０１３２】
図２１（ｂ）に示すように、突起１５５は、第２壁部７５２の外壁面側から開口７５６に挿入され、第１係合部５４３と第２係合部５４４に架け渡されたコイルばね５４７の下を通り、第１壁部７５１の開口７５５に挿入されている。
【０１３３】
次に、バネ取付部６６２について説明する。図２１（ｃ）に示すように、バネ取付部６６２は、第３壁部７５３、第４壁部７５４、第３係合部５４５、第４係合部５４６を含む。第３壁部７５３は左右方向における保持体５０５の一端側に配置されており、第４壁部７５４は左右方向における保持体５０５の他端側に設けられている。本実施例において、左右方向において第３壁部７５３および第４壁部７５４は当接ピン５１５の両側に配置されている。第１壁部７５１と第３壁部７５３は左右方向において同じ側、すなわち、第１壁部７５１と第３壁部７５３は左右方向において保持体５０５の右側に配置されている。第２壁部７５２と第４壁部７５４は左右方向において同じ側、すなわち、第２壁部７５２と第４壁部７５４は左右方向において保持体５０５の左側に配置されている。
【０１３４】
図２１（ｃ）に示すように、第３壁部７５３と第４壁部７５４はそれぞれ互いに対面する内壁面を含む。第３壁部７５３には開口７５７が形成され、第４壁部７５４には開口７５８が形成されている。開口７５７および開口７５８は上下方向に延びる長孔である。開口７５７および開口７５８には突起１５６が挿入されている。突起１５６は開口７５７および開口７５８に対して嵌合されておらず、前後方向において最も狭いところで０．５ｍｍ程度の間隙を以て挿入されている。そのため、突起１５６は、開口７５７および開口７５８の内壁面から大きな摩擦力を受けることなく、開口７５７および開口７５８によって上下方向にその移動方向を案内される。
【０１３５】
図２１（ｄ）は、図２１（ｃ）から第３壁部７５３を取り除いた図面である。左右方向において第３壁部７５３と第４壁部７５４との間に第３係合部５４５と第４係合部５４６が配置されている。また、前後方向において、この第３係合部５４５と第４係合部５４６はそれぞれ開口７５７および開口７５８との間に配置されている。本実施例において、第４係合部５４６は第３係合部５４５よりも保持体５０５の端部側に配置されている。第３係合部５４５および第４係合部５４６は、保持体５０５の第３壁部７５３と第４壁部７５４とを連結する連結部分から下方に突出する突起である。第３係合部５４５にはコイルばね５４８の一端が係合され、第４係合部５４６にはコイルばね５４８の他端が係合される。第３係合部５４５と第４係合部５４６とに係合したコイルばね５４８が開口７５７および開口７５８を横断するように、第３係合部５４５および第４係合部５４６はバネ取付部６６２に配置されている。
【０１３６】
上下方向において、第３係合部５４５と第４係合部５４６は互いに異なる位置に配置されている。本実施例において、第３係合部５４５が第４係合部５４６よりも感光ドラム１０３側に配置されている。なお、第３係合部５４５と第４係合部５４６は上下方向において同一に設けても良いし、第４係合部５４６が第３係合部５４５よりも感光ドラム１０３側に配置されていても良い。
【０１３７】
図２１（ｄ）に示すように、突起１５６は、第４壁部７５４の外壁面側から開口７５８に挿入され、第３係合部５４５と第４係合部５４６に架け渡されたコイルばね５４８の下を通り、第３壁部７５３の開口７５７に挿入されている。
なお、本実施例では、コイルばね５４７およびコイルばね５４８の一例としてコイル状のバネを示すが、板バネを用いても構わない。
【０１３８】
次に、リンク部材６５１に設けられた突起１５５のコイルばね５４７に対する作用、およびリンク部材６５２に設けられた突起１５６のコイルばね５４８に対する作用を図２２を用いて説明する。突起１５５のコイルばね５４７に対する作用と突起１５６のコイルばね５４８に対する作用は実質的に同様であるので、図２２では突起１５６のコイルばね５４８に対する作用を例示する。
【０１３９】
図２２（ａ）は保持体５０５に設けられた当接ピン５１５がドラムユニット５１８の当接面５５１から退避した状態を示す図である。図２２（ｂ）は当接ピン５１５がドラムユニット５１８の当接面５５１に当接した時点を示す図である。図２２（ｃ）は、図２２（ｂ）の状態からリンク部材６５２が反時計回りに回動した状態を示す図である。
【０１４０】
図２２（ａ）の状態において、スライド部５２５がスライド移動すると、それに連動してリンク部材６５２が反時計回りに回動し、突起１５６が上側に移動する。このとき、突起１５６がコイルばね５４８を上側に向かって押圧する。突起１５６がコイルばね５４８を上側に向かって押圧すると、第３係合部５４５および第４係合部５４６を介して保持体５０５に対して上側に力が作用する。当接ピン５１５はドラムユニット５１８に非接触であり、光プリントヘッド１０５に作用する重力を除いて突起１５６がコイルばね５４８を押圧する力に抗する力が存在しない。そのため、第３係合部５４５および第４係合部５４６に上側に向かって作用する力が光プリントヘッド１０５に作用する重力よりも大きくなると、保持体５０５が第３係合部５４５および第４係合部５４６に作用する力によって上側に移動する。ここで、保持体５０５が退避位置である時、当接ピン５１５（５１４）の下端や保持体５０５を装置本体で支え、リンク部材６５２（６５１）の突起１５６（１５５）がコイルばね５４８（５４７）と非接触となるようにしても構わない。
【０１４１】
保持体５０５が上側に移動すると、図２２（ｂ）に示すように当接ピン５１５がドラムユニット５１８の当接面５５１に当接する。図２２（ｂ）は光プリントヘッド１０５が露光位置に配置されているが、光プリントヘッド１０５に作用するドラムユニット５１８に付勢する付勢力が不十分である。そのため、光プリントヘッド１０５に上記付勢力を付与するために、本実施例の移動機構６４０は、図２２（ｂ）の状態からさらにリンク部材６５２が回動可能な構成となっている。
【０１４２】
図２２（ｂ）の状態からさらにリンク部材６５２が反時計回りに回動しても、当接ピン５１５がドラムユニット５１８の当接面５５１に当接しているため、保持体５０５の位置は変化しない。一方、突起１５６は上側方向に移動するため、コイルばね５４８は第３係合部５４５と第４係合部５４６との間を突起１５６によって押圧されて図２２（ｃ）に示すように屈曲して伸長する。
【０１４３】
図２２（ｃ）の状態は、図１８（ｃ）および（ｄ）のカバー５５８の状態に対応する。すなわち、スライド部５２５はそれ以上前側にスライド移動しない状態となる。そのため、スライド部５２５がスライド移動しないため、リンク部材６５２は図２２（ｃ）に示す状態から反時計回りに回動することはなく、突起１５６も上側に移動することなく図２２（ｃ）の位置に静止する。この状態においてコイルばね５４８は収縮する力が第３係合部５４５および第４係合部５４６に作用する。第３係合部５４５および第４係合部５４６に作用するコイルばね５４８の収縮力の分力が上方向に向くため、保持体５０５にはドラムユニット５１８側に付勢する付勢力が作用し、保持体５０５は当接ピン５１５を介してドラムユニット５１８に付勢する。
【０１４４】
上記したように、第３係合部５４５が第４係合部５４６よりも感光ドラム１０３側に配置されているため、コイルばね５４８には突起１５６から矢印Ｎ方向の抗力が作用する。矢印Ｎ方向の抗力の分力が保持体５０５に作用する。そのため、当接ピン５１５には前後方向の後側に向かう力が作用し、当接面５５１に当接した当接ピン５１５は嵌合部６８５の奥側の後側壁面５９６に付勢して当接する。第１係合部５４３は第２係合部５４４よりも感光ドラム１０３側に配置されている理由も同様である。
【０１４５】
（露光位置に位置する保持体に作用する力）
図２３は、保持体５０５が備える当接ピン５１４と当接ピン５１５とがそれぞれドラムユニット５１８に形成された当接面５５０および当接面５５１に当接し、押しつけられている状態を示す。図２３における矢印ａ１は、リンク部材６５１の突起６５５が、第１係合部５４３を介して保持体５０５に対して付与する力の向きを示す。矢印ｂ１は、リンク部材６５２の突起６５６が、第３係合部５４５を介して保持体５０５に対して付与する力の向きを示す。また、図２３における矢印ａ２は、リンク部材６５１の突起６５５が、第２係合部５４４を介して保持体５０５に対して付与する力の向きを示す。矢印ｂ２は、リンク部材６５２の突起６５６が、第４係合部５４６を介して保持体５０５に対して付与する力の向きを示す。矢印Ａは矢印ａ１と矢印ａ２との合力の向きを示し、保持体５０５の前側（点Ｙ１）を離間位置から露光位置へと向かう方向に押圧する。矢印Ｂは矢印ｂ１と矢印ｂ２との合力の向きを示し、保持体５０５の後側（点Ｙ２）を離間位置から露光位置へと向かう方向に押圧する。
【０１４６】
図２３において点Ｘ１は当接ピン５１４と保持体５０５との接続箇所の一例を示し、点Ｘ２は当接ピン５１５と保持体５０５との接続箇所の一例を示す。
【０１４７】
以下、保持体５０５が露光位置に位置する場合であって、当接ピン５１４がドラムユニット５１８に形成された当接面５５０に当接し、かつ、当接ピン５１５がドラムユニット５１８に形成された当接面５５１に当接した状態で、矢印Ａ及び矢印Ｂで示される力が保持体５０５に与える影響について考える。
【０１４８】
まず、点Ｘ１を支点とした場合において、矢印Ａが示す力によって発生する力のモーメントについて説明する。この場合に、保持体５０５に矢印Ａで示す力が作用すると、点Ｘ１から点Ｙ１までの距離をｌ１とした時、矢印Ａで示す力と距離ｌ１との積に基づいて計算される矢印Ａと同じ方向の力（モーメント力α）が保持体５０５の点Ｙ１より後側に作用する。
【０１４９】
次に、点Ｘ２を支点とした場合において、矢印Ｂが示す力によって発生する力のモーメントについて説明する。この場合に、保持体５０５に矢印Ａで示す力が作用すると、点Ｘ２から点Ｙ２までの距離をｌ２とした時、矢印Ｂで示す力と距離ｌ２との積に基づいて計算される矢印Ｂと同じ方向の力（モーメント力β）が保持体５０５の点Ｙ２より前側に作用する。
【０１５０】
図２３に示す矢印Ｃで示す力はモーメント力αとモーメント力βとの合力である。また、矢印Ｍは、樹脂製の保持体５０５に作用する、保持体５０５の自重に起因する力である。モーメント力αとモーメント力βとの合力を表す矢印Ｃで示す力が、重力方向とは反対方向に作用することで、保持体５０５のバネ取付部６６１とバネ取付部６６２との間の部分が自重によって矢印Ｍ方向に反ることを抑制する。すなわち、バネ取付部６６１をレンズアレイ５０６の前側の端部と基板５０２の前側の端部との双方よりも前側であって当接ピン５１４よりも後側に設け、かつ、バネ取付部６６２をレンズアレイ５０６の後側の端部と基板５０２の後側の端部との双方よりも後側であって当接ピン５１４よりも前側に設けることで、レンズアレイ５０６および基板５０２が重力方向に反ることを抑制することが可能となる。
【０１５１】
なお、前述のとおり、矢印Ｃで示される力の大きさは、距離ｌ１及び距離ｌ２の長さと、矢印Ａで示す力の大きさ及び矢印Ｂで示す力の大きさに起因する。すなわち、例えば矢印Ａで示す力の大きさ及び矢印Ｂで示す力の大きさを一定とした場合、距離ｌ１または距離ｌ２が長くなるに従い、矢印Ｃで示す力の大きさも大きくなる。これは、保持体５０５にバネ取付部６６１及びバネ取付部６６２が設けられる位置によっては、保持体５０５を重力方向とは逆方向に向けて、必要以上に反らせてしまう可能性があることを示唆する。一方、矢印Ａで示す力の大きさ及び矢印Ｂで示す力の大きさを一定とした場合、距離ｌ１または距離ｌ２を短くなるに従い、矢印Ｃに示す力の大きさは小さくなる。これは、保持体５０５にバネ取付部６６１及びバネ取付部６６２が設けられる位置によっては、保持体５０５に対し矢印Ｃで示す力を十分に付与することが出来ず、矢印Ｍに示す力に起因する保持体５０５の反りを十分に抑制することが出来ないことを示唆する。
【０１５２】
本実施例では、レンズアレイ５０６の前側の端部から第２係合部５４４までの距離はレンズアレイ５０６の前側の端部から当接ピン５１４と保持体５０５との接続箇所の一例である点Ｘ１までの距離の５０％である。また、当接ピン５１４と保持体５０５との接続箇所の一例である点Ｘ１から第１係合部５４３までの距離はレンズアレイ５０６の前側の端部から当接ピン５１４と保持体５０５との接続箇所の一例である点Ｘ１までの距離の２０％である。
【０１５３】
一方、レンズアレイ５０６の後側の端部からバネかけボス５４５までの距離はレンズアレイ５０６の後側の端部から当接ピン５１５と保持体５０５との接続箇所の一例である点Ｘ２までの距離の３０％である。また、当接ピン５１４と保持体５０５との接続箇所の一例である点Ｘ２からバネフック５４６までの距離はレンズアレイ５０６の後側の端部から当接ピン５１５と保持体５０５との接続箇所の一例である点Ｘ２までの距離の２０％である。
【０１５４】
図２３に示す破線Ｚは、保持体５０５に撓みが一切ないと仮定した場合に、点Ｘ１と点Ｘ２とを結んで直線であって、この時の点Ｘ１と点Ｘ２との中間に位置する点が点Ｏである。当接ピン５１４及び当接ピン５１５が共に当接面５５０及び当接面５５１に当接していない時、点Ｏは保持体５０５に一切たわみが無いと仮定した場合における点Ｏよりも４５μｍだけ鉛直方向下側に位置する。一方、当接ピン５１４及び当接ピン５１５が共に当接面５５０及び当接面５５１に３００ｇ重の力で押し付けられた時、点Ｏは保持体５０５に一切たわみが無いと仮定した場合における点Ｏよりも１８μｍだけ鉛直方向下側に位置する。
【０１５５】
（変形例１）
次に、バネ取付部３６１およびバネ取付部３６２に取り付けられるコイルばね５４７およびコイルばね５４８について、その取り付け方の変形例を図２４（ａ）および図２４（ｂ）を用いて説明する。なお、移動機構３４０と実質的に同じ機能を有する部材には同じ符合を付して説明し、重複する説明は省略する場合がある。
【０１５６】
図２４（ａ）および図２４（ｂ）に示すコイルばね５４７の取り付け方は、上で図２３を用いて説明した移動機構２４０の比較例と同様である。図２４（ａ）および図２４（ｂ）に示す保持体３０５は、レンズアレイ５０６が取り付けられるレンズ取付部３０１と、コイルばね３４７が取り付けられるバネ取付部３６１と、コイルばね３４８が取り付けられるバネ取付部３６２と、当接ピン５１４が取り付けられるピン取付部３８７と、当接ピン５１５が取り付けられるピン取付部３８８と、を備える。なお、図２５（ｂ）では保持体３０５の前側のみを示しているため、コイルばね３４８が取り付けられるバネ取付部３６２と、当接ピン５１５が取り付けられるピン取付部３８８と、は図示していない。レンズ取付部３０１、バネ取付部３６１、バネ取付部３６２、ピン取付部３８７、およびピン取付部３８８は射出成形された一体成形物である。前後方向において、レンズ取付部３０１よりも保持体３０５の一端側にバネ取付部３６１が配置され、バネ取付部３６１よりもさらに保持体３０５の端部側にピン取付部３８７が配置されている。また、前後方向において、レンズ取付部３０１よりも保持体３０５の他端側にバネ取付部３６２が配置され、バネ取付部３６２よりもさらに保持体３０５の端部側にピン取付部３８８が配置されている。
【０１５７】
図２４（ｂ）を用いてバネ取付部３６１について説明する。バネ取付部３６１は、第１壁部３５１、第２壁部３５２、係合部３７２を含む。また、図２４（ｂ）を用いて、レンズ取付部３０１、バネ取付部３６１、ピン取付部３８７が形成されている箇所を図示するとそれぞれ、Ｌの領域、Ｋの領域、Ｊの領域で示す箇所となる。第１壁部３５１は左右方向における保持体３０５の一端側に配置され、第２壁部３５２は左右方向における保持体３０５の他端側に設けられている。本変形例において、左右方向において第１壁部３５１および第２壁部３５２は当接ピン５１４の両側に配置されている。第１壁部３５１には開口３５５が形成され、第１壁部３５２には開口３５６が形成されている。開口３５５および開口３５６は上下方向に延びる長孔である。開口３５５および開口３５６には、突起３００が保持体３０５の左側から開口３５５、開口３５６の順に挿入される。突起３００は開口３５５および開口３５６に対して嵌合されておらず、前後方向において最も狭いところで０．５ｍｍ程度の間隙を以て挿入されている。そのため、突起３００は、開口３５５および開口３５６の内壁面から大きな摩擦力を受けることなく、開口３５５および開口３５６によって上下方向にその移動方向を案内される。図２４（ｂ）に示すように、係合部３７２は、第１壁部３５１と第２壁部３５２との間において、上側から下側へ向けて立設された円柱状の突起である。そして、図２４（ａ）に示すように、係合部３７２にはコイルばね３４７の一端が下側から上側にむけて挿入される。また、コイルばね３４７の他端側は突起３００と接触している。すなわち、コイルばね３４７の一端側と係合部との接触部分よりコイルばね３４７の他端側と突起３００との接触部分の方が下側に位置する。
【０１５８】
また、図２４（ａ）は光プリントヘッド１０５が退避位置から露光位置へ向けて移動し、当接ピン５１４が当接面５５０に当接した直後の状態である。光プリントヘッド１０５は露光位置に配置されているが、光プリントヘッド１０５に作用するドラムユニット５１８に付勢する付勢力は不十分である。そのため、光プリントヘッド１０５に上記付勢力を付与するために、本変形例の移動機構３４０は、図２４（ａ）の状態からさらにリンク部材３８１およびリンク部材３８３が回動可能な構成となっている。
【０１５９】
図２４（ａ）の状態からさらにリンク部材３８１が反時計回りに回動しても、当接ピン５１４がドラムユニット５１８の当接面５５０に当接しているため、保持体３０５の位置は変化しない。一方、突起３００は上側方向に移動するため、コイルばね５４７は係合部３７２と突起３００とに挟まれ押し縮められる。
【０１６０】
上記の図２４（ａ）の状態からさらにリンク部材３８１が反時計回りに回動した状態は、図１４（ｃ）、（ｄ）および図１５（ｃ）、（ｄ）に示すカバー５５８の状態に対応する。すなわち、スライド部５２５はそれ以上前側にスライド移動しない状態となる。スライド部５２５がスライド移動しないため、リンク部材３８１はこれ以上反時計回りに回動することはなく、突起３００も上側に移動することなく静止する。この状態において、縮められたコイルばね３４７の復元力により保持体３０５にはドラムユニット５１８側に付勢する付勢力が作用し、保持体３０５は当接ピン５１５を介してドラムユニット５１８に付勢される。
【０１６１】
（変形例２）
コイルばね４４７およびコイルばね４４８の保持体４０５への取り付け方について、他の変形例を図２５（ａ）および図２５（ｂ）を用いて説明する。
【０１６２】
図２５（ａ）および図２５（ｂ）に示す保持体４０５は、レンズアレイ５０６が取り付けられるレンズ取付部４０１と、コイルばね４４７が取り付けられるバネ取付部４６１と、コイルばね４４８が取り付けられるバネ取付部４６２と、当接ピン５１４が取り付けられるピン取付部４８７と、当接ピン５１５が取り付けられるピン取付部４８８と、を備える。なお、図２５（ｂ）では保持体４０５の前側のみを示しているため、コイルばね４４８が取り付けられるバネ取付部４６２と、当接ピン５１５が取り付けられるピン取付部４８８と、は図示していない。レンズ取付部４０１、バネ取付部４６１、バネ取付部４６２、ピン取付部４８７、およびピン取付部４８８は射出成形された一体成形物である。前後方向において、レンズ取付部４０１よりも保持体４０５の一端側にバネ取付部４６１が配置され、バネ取付部４６１よりもさらに保持体４０５の端部側にピン取付部４８７が配置されている。また、前後方向において、レンズ取付部４０１よりも保持体４０５の他端側にバネ取付部４６２が配置され、バネ取付部４６２よりもさらに保持体４０５の端部側にピン取付部４８８が配置されている。
【０１６３】
図２５（ｂ）を用いてバネ取付部４６１について説明する。バネ取付部４６１は、第１壁部４５１、第２壁部４５２、係合部４７２を含む。また、図２５（ｂ）を用いて、レンズ取付部４０１、バネ取付部４６１、ピン取付部４８７が形成されている箇所を図示するとそれぞれ、Ｏの領域、Ｎの領域、Ｍの領域で示す箇所となる。第１壁部４５１は左右方向における保持体４０５の一端側に配置され、第２壁部４５２は左右方向における保持体４０５の他端側に設けられている。本変形例において、左右方向において第１壁部４５１および第２壁部４５２は当接ピン５１４の両側に配置されている。第１壁部４５１には開口４５５が形成され、第２壁部４５２には開口４５６が形成されている。開口４５５および開口４５６は上下方向に延びる長孔である。開口４５５および開口４５６には図２５（ｂ）に示すように、突起６５５は保持体４０５の左側から開口７５５、開口７５６の順に挿入される。突起６５５は開口７５５および開口７５６に対して嵌合されておらず、前後方向において最も狭いところで０．５ｍｍ程度の間隙を以て挿入されている。そのため、第２移動部の一例である突起４００は、開口４５５および開口４５６の内壁面から大きな摩擦力を受けることなく、開口４５５および開口４５６によって上下方向にその移動方向を案内される。図２５（ｂ）に示すように、係合部４７２は、第１壁部４５１の開口４５５および第２壁部４５２の開口４５６の下側において、第１壁部４５１に設けられた孔から第２壁部４５２に向けて挿入され、第１壁部４５１に固定されている。図２５（ａ）に示すように、第１壁部４５１と第２壁部４５２との間においてコイルばね４４７の他端が係合部４７２に掛けられる。また、コイルばね４４７の一端側は突起４００に回動可能に接続されている。すなわち、コイルばね４４７の一端側と係合部４７２との接触部分よりコイルばね４４７の他端側と突起４００との接触部分の方が上側に位置する。
【０１６４】
また、図２５（ａ）は光プリントヘッド１０５が退避位置から露光位置へ向けて移動し、当接ピン５１４が当接面５５０に当接した直後の状態である。光プリントヘッド１０５は露光位置に配置されているが、光プリントヘッド１０５に作用するドラムユニット５１８に付勢する付勢力は不十分である。そのため、光プリントヘッド１０５に上記付勢力を付与するために、本変形例の移動機構４４０は、図２５（ａ）の状態からさらにリンク部材４８１が回動可能な構成となっている。
【０１６５】
図２５（ａ）の状態からさらにリンク部材４８１が反時計回りに回動しても、当接ピン５１４がドラムユニット５１８の当接面５５０に当接しているため、保持体４０５の位置は変化しない。一方、突起４００は上側方向に移動するため、コイルばね４４７は係合部４７２と突起４００とによって伸ばされる。
【０１６６】
上記の図２５（ａ）の状態からさらにリンク部材４８１が反時計回りに回動した状態は、図１７（ｃ）、（ｄ）および図１８（ｃ）、（ｄ）に示すカバー５５８の状態に対応する。すなわち、スライド部５２５はそれ以上前側にスライド移動しない状態となる。スライド部５２５がスライド移動しないため、リンク部材４８１はこれ以上反時計回りに回動することはなく、突起４００も上側に移動することなく静止する。この状態において、伸ばされたコイルばね４４７の復元力により保持体４０５にはドラムユニット５１８側に付勢する付勢力が作用し、保持体４０５は当接ピン５１４を介してドラムユニット５１８に付勢される。
【０１６７】
ここで、コイルばね４４７は突起４００でなくリンク部材４８１の上端部分によって直接伸ばされる構造、すなわち第１移動部をリンク部材４８１の上端部分としても構わない。
【０１６８】
以上、説明したように、上記本実施例および変形例に係る画像形成装置１は、バネ取付部６６１がレンズアレイ５０６の前側の端部と基板５０２の前側の端部との双方よりも前側であって当接ピン５１４よりも後側に設けられ、かつ、バネ取付部６６２がレンズアレイ５０６の後側の端部と基板５０２の後側の端部との双方よりも後側であって当接ピン５１４よりも前側に設けられていることで、当接ピン５１４及び当接ピン５１５が当接面５５０及び当接面５５１に当接し押し付けられた場合に、レンズアレイ５０６および基板５０２が重力方向に反ることを抑制することが可能となる。
【符号の説明】
【０１６９】
５０５  保持体
５０６  レンズアレイ
５１４  当接ピン
５１５  当接ピン
５１８  ドラムユニット
５５０  当接面
５５１  当接面
６６１  バネ取付部
６６２  バネ取付部
【図１】
2019001103.tif 000003
【図２】
2019001103.tif 000004
【図３】
2019001103.tif 000005
【図４】
2019001103.tif 000006
【図５】
2019001103.tif 000007
【図６】
2019001103.tif 000008
【図７】
2019001103.tif 000009
【図８】
2019001103.tif 000010
【図９】
2019001103.tif 000011
【図１０】
2019001103.tif 000012
【図１１】
2019001103.tif 000013
【図１２】
2019001103.tif 000014
【図１３】
2019001103.tif 000015
【図１４】
2019001103.tif 000016
【図１５】
2019001103.tif 000017
【図１６】
2019001103.tif 000018
【図１７】
2019001103.tif 000019
【図１８】
2019001103.tif 000020
【図１９】
2019001103.tif 000021
【図２０】
2019001103.tif 000022
【図２１】
2019001103.tif 000023
【図２２】
2019001103.tif 000024
【図２３】
2019001103.tif 000025
【図２４】
2019001103.tif 000026
【図２５】
2019001103.tif 000027